(57)【要約】【課題】利用者の過去の移動履歴のみにとらわれず、行動可能な範囲にかかる広告をコンテンツに挿入し、訴求効果を高めることができるコンテンツ配信システム、広告挿入装置、および、端末装置を提供することを課題とする。【解決手段】端末装置は、利用者の位置情報を検出し、広告挿入装置に送信し、コンテンツ情報に基づく画面上に、広告情報が表示されるよう処理し、広告挿入装置は、位置情報を受信して、行動範囲の起点となる利用者の現在地を特定し、利用者の属性情報に基づいて、利用者の行動範囲を予測し、特定された行動範囲の起点と予測された行動範囲とに基づいて、当該行動範囲内に属する店舗の店舗情報を抽出し、抽出した店舗情報の店舗毎に利用者の位置情報または属性情報と当該店舗の店舗情報とに基づいて評点を算出し、評点に基づいて店舗を選択し、選択した店舗にかかる広告情報を送信するよう広告格納装置に要求する。【選択図】図２
2009116656.tif 000002
【特許請求の範囲】
【請求項１】
コンテンツ情報を格納し送信するコンテンツ格納装置と、広告情報を格納する広告格納装置に接続され前記広告情報を送信する広告挿入装置と、前記コンテンツ情報および前記広告情報を受信して表示する端末装置と、をネットワークを介して通信可能に構成したコンテンツ配信システムであって、
前記端末装置は、
当該端末装置を有する利用者の位置情報を検出し、前記位置情報を前記広告挿入装置に送信する位置検出手段と、
前記コンテンツ格納装置から受信した前記コンテンツ情報に基づく画面上に、前記広告挿入装置から受信した前記広告情報が表示されるよう処理するコンテンツ処理手段と、
を備え、
前記広告挿入装置は、
前記端末装置から送信された前記位置情報を受信して、行動範囲の起点となる前記利用者の現在地を特定する行動範囲起点特定手段と、
前記利用者の属性情報を記憶部に記憶し、前記属性情報に基づいて、前記利用者の前記行動範囲を予測する行動範囲予測手段と、
前記広告情報にかかる店舗の店舗情報を前記記憶部に記憶し、前記行動起点特定手段により特定された前記行動範囲の前記起点と、前記行動範囲予測手段により予測された前記行動範囲と、に基づいて、当該行動範囲内に属する店舗の前記店舗情報を前記記憶部から抽出する店舗情報抽出手段と、
前記店舗情報抽出手段により抽出された前記店舗情報の前記店舗毎に、前記利用者の前記位置情報および／または前記属性情報と、当該店舗の前記店舗情報と、に基づいて評点を算出する店舗評点算出手段と、
前記店舗評点算出手段によって算出された前記評点に基づいて前記店舗を選択し、選択した前記店舗にかかる前記広告情報を送信するよう前記広告格納装置に要求する広告要求手段と、
を備えたことを特徴とするコンテンツ配信システム。
【請求項２】
コンテンツ情報を格納し送信するコンテンツ格納装置と、広告情報を格納する広告格納装置に接続され前記広告情報を送信する広告挿入装置と、前記コンテンツ情報および前記広告情報を受信して表示する端末装置と、をネットワークを介して通信可能に構成したコンテンツ配信システムであって、
前記端末装置は、
当該端末装置を有する利用者の位置情報を検出する位置検出手段と、
前記位置検出手段により検出された前記位置情報に基づいて、行動範囲の起点となる前記利用者の現在地を特定し、前記広告挿入装置に送信する行動範囲起点特定手段と、
前記利用者の属性情報を記憶部に記憶し、前記属性情報に基づいて、前記利用者の前記行動範囲を予測し、前記広告挿入装置に送信する行動範囲予測手段と、
前記コンテンツ格納装置から受信した前記コンテンツ情報に基づく画面上に、前記広告挿入装置から受信した前記広告情報が表示されるよう処理するコンテンツ処理手段と、
を備え、
前記広告挿入装置は、
前記広告情報にかかる店舗の店舗情報を前記記憶部に記憶し、前記端末装置から送信された前記起点と前記行動範囲とに基づいて、当該行動範囲内に属する店舗の前記店舗情報を前記記憶部から抽出する店舗情報抽出手段と、
前記店舗情報抽出手段により抽出された前記店舗情報の前記店舗毎に、前記利用者の前記位置情報および／または前記属性情報と、当該店舗の前記店舗情報と、に基づいて評点を算出する店舗評点算出手段と、
前記店舗評点算出手段によって算出された前記評点に基づいて前記店舗を選択し、選択した前記店舗にかかる前記広告情報を送信するよう前記広告格納装置に要求する広告要求手段と、
を備えたことを特徴とするコンテンツ配信システム。
【請求項３】
前記属性情報は、前記利用者の行動履歴に依存しない当該利用者の個人属性情報であることを特徴とする請求項１または２に記載のコンテンツ配信システム。
【請求項４】
前記属性情報は、前記利用者が現在おかれている環境の情報であることを特徴とする請求項１または２に記載のコンテンツ配信システム。
【請求項５】
前記行動範囲起点特定手段は、
前記利用者の前記位置情報を、曜日毎および／または時間帯毎に前記記憶部に記憶して当該利用者の生活パターン情報を作成し、前記記憶部に記憶された前記生活パターン情報に基づいて前記行動範囲の前記起点を変更すること、
を特徴とする請求項１乃至４のいずれか一つに記載のコンテンツ配信システム。
【請求項６】
前記行動範囲予測手段は、
前記利用者の前記位置情報に対する当該利用者の前記属性情報に基づいて、前記行動範囲を重み付けして予測すること、
を特徴とする請求項１乃至４のいずれか一つに記載のコンテンツ配信システム。
【請求項７】
前記行動範囲予測手段は、
前記利用者の前記位置情報に対する他の利用者の前記位置情報に基づいて、前記行動範囲を重み付けして予測すること、
を特徴とする請求項１乃至４のいずれか一つに記載のコンテンツ配信システム。
【請求項８】
前記行動範囲予測手段は、
前記利用者の前記内部環境の前記属性情報として当該利用者の健康状態情報に基づいて、前記行動範囲を重み付けして予測すること、
を特徴とする請求項１乃至４のいずれか一つに記載のコンテンツ配信システム。
【請求項９】
前記店舗評点算出手段は、
前記起点から前記店舗までの経路を探索し、探索した前記経路の移動距離および／または勾配に基づいて、当該店舗の前記評点を算出すること、
を特徴とする請求項１乃至４のいずれか一つに記載のコンテンツ配信システム。
【請求項１０】
前記店舗評点算出手段は、
前記店舗の店舗状況に基づいて、当該店舗の前記評点を算出すること、
を特徴とする請求項１乃至４のいずれか一つに記載のコンテンツ配信システム。
【請求項１１】
前記店舗評点算出手段は、
前記利用者の前記位置情報を行動履歴情報として前記記憶部に記憶し、前記店舗の属性情報に対する前記行動履歴情報に基づいて、当該店舗の前記評点を算出すること、
を特徴とする請求項１乃至４のいずれか一つに記載のコンテンツ配信システム。
【請求項１２】
前記店舗評点算出手段は、
前記起点から前記店舗までの経路を探索し、探索した前記経路を天候状況情報に基づいて重み付けし、重み付けされた前記経路に基づいて、当該店舗の前記評点を算出すること、
を特徴とする請求項１乃至４のいずれか一つに記載のコンテンツ配信システム。
【請求項１３】
前記店舗評点算出手段は、
前記起点から前記店舗までの経路を探索し、前記利用者の前記位置情報に基づいて移動手段を推定し、推定した前記移動手段に基づいて前記経路を重み付けし、重み付けされた前記経路に基づいて、当該店舗の前記評点を算出すること、
を特徴とする請求項１乃至４のいずれか一つに記載のコンテンツ配信システム。
【請求項１４】
前記店舗情報抽出手段は、
前記行動範囲起点特定手段により特定された前記行動範囲の前記起点が、最新の前記位置情報と異なる場合、前記行動範囲を補正すること
を特徴とする請求項１乃至１３のいずれか一つに記載のコンテンツ配信システム。
【請求項１５】
請求項１または２に記載のコンテンツ配信システムは、
前記ネットワークを介して接続された店舗情報管理装置を更に備え、
前記コンテンツ情報は、選択可能な２つ以上のシナリオを有し、
前記店舗情報管理装置は、
前記広告情報にかかる前記店舗を前記利用者が訪問したこと、または、当該店舗において商品を購入したことを前記利用者の利用情報として検出し、前記利用情報を前記広告挿入装置に送信する利用者行動検出手段、
を備え、
前記広告挿入装置は、
前記店舗情報管理装置から送信された前記利用情報に基づいて前記記憶部に記憶された前記シナリオの選択肢情報を選択し、選択した前記選択肢情報にかかる前記シナリオを前記利用者の前記端末装置に送信するよう制御するシナリオ送信要求を、前記コンテンツ格納装置へ送信するシナリオ選択手段、
を更に備えたことを特徴とするコンテンツ配信システム。
【請求項１６】
前記広告挿入装置は、
前記端末装置に送信された前記コンテンツ情報を解析するコンテンツ解析手段、
を更に備え、
前記広告要求手段は、
前記コンテンツ解析手段で解析された前記コンテンツ情報の解析結果に合致した広告情報を前記広告格納装置に要求すること
を特徴とする請求項１乃至１５のいずれか一つに記載のコンテンツ配信システム。
【請求項１７】
前記広告挿入装置は、
前記端末装置を有する前記利用者の前記個人属性情報を前記記憶部に保持する個人属性保持手段、
を更に備えたことを特徴とする請求項１乃至１６のいずれか一つに記載のコンテンツ配信システム。
【請求項１８】
前記コンテンツ情報は、外部から情報挿入が可能であるオブジェクトを示す広告挿入オブジェクトを一つ以上含むことを特徴とする請求項１乃至１７のいずれか一つに記載のコンテンツ配信システム。
【請求項１９】
前記広告挿入オブジェクトは、前記オブジェクトに挿入するのに適した対象物を示す情報であるオブジェクト種別情報を一つ以上含むことを特徴とする請求項１８に記載のコンテンツ配信システム。
【請求項２０】
前記コンテンツ情報は、コンテンツ内のストーリーの選択肢を示す重み付けオブジェクトを一つ以上含み、
前記広告要求手段は、
前記個人属性保持手段により保持された前記個人属性や前記行動範囲と前記重み付けオブジェクトを組み合わせて、要求する広告を選択することを特徴とする請求項１乃至１９のいずれか一つに記載のコンテンツ配信システム。
【請求項２１】
前記広告情報は、広告元の業種や要望する客層を示す広告情報識別子を一つ以上含み、
前記広告要求手段は、
前記広告格納装置に前記広告情報識別子に基づいて適切な広告を選択して送信するよう要求する、前記広告情報識別子を含む要求情報を前記広告格納装置に送信することを特徴とする請求項１乃至２０のいずれか一つに記載のコンテンツ配信システム。
【請求項２２】
前記広告格納装置は、
前記広告情報識別子に基づいて、前記広告情報のリストを作成し、前記広告挿入装置に送信する広告リスト作成手段、
を更に備え、
前記店舗情報抽出手段は、送信された前記リストに基づいて、前記行動範囲内に属する店舗の前記店舗情報を前記記憶部から抽出することを特徴とする請求項２１記載のコンテンツ配信システム。
【請求項２３】
コンテンツ情報を格納し送信するコンテンツ格納装置と、広告情報を格納する広告格納装置と、前記コンテンツ情報および前記広告情報を受信して表示する端末装置と、にネットワークを介して通信可能に接続され、前記広告情報を送信する広告挿入装置であって、
前記端末装置により検出された当該端末装置の利用者の前記位置情報を受信して、行動範囲の起点となる前記利用者の現在地を特定する行動範囲起点特定手段と、
前記利用者の属性情報を記憶部に記憶し、前記属性情報に基づいて、前記利用者の前記行動範囲を予測する行動範囲予測手段と、
前記広告情報にかかる店舗の店舗情報を前記記憶部に記憶し、前記行動起点特定手段により特定された前記行動範囲の前記起点と、前記行動範囲予測手段により予測された前記行動範囲と、に基づいて、当該行動範囲内に属する店舗の前記店舗情報を前記記憶部から抽出する店舗情報抽出手段と、
前記店舗情報抽出手段により抽出された前記店舗情報の前記店舗毎に、前記利用者の前記位置情報および／または前記属性情報と、当該店舗の前記店舗情報と、に基づいて評点を算出する店舗評点算出手段と、
前記店舗評点算出手段によって算出された前記評点に基づいて前記店舗を選択し、選択した前記店舗にかかる前記広告情報を送信するよう前記広告格納装置に要求する広告要求手段と、
を備えたことを特徴とする広告挿入装置。
【請求項２４】
コンテンツ情報を格納し送信するコンテンツ格納装置と、広告情報を格納する広告格納装置に接続され前記広告情報を送信する広告挿入装置と、にネットワークを介して通信可能に構成され、前記コンテンツ情報および前記広告情報を受信して表示する端末装置であって、
前記端末装置は、
当該端末装置を有する利用者の位置情報を検出する位置検出手段と、
前記位置検出手段により検出された前記位置情報に基づいて、行動範囲の起点となる前記利用者の現在地を特定し、前記広告挿入装置に送信する行動範囲起点特定手段と、
前記利用者の属性情報を記憶部に記憶し、前記属性情報に基づいて、前記利用者の前記行動範囲を予測し、前記広告挿入装置に送信する行動範囲予測手段と、
送信した前記起点と前記行動範囲に基づいて前記広告挿入装置により選択された店舗にかかる前記広告情報を前記広告挿入装置から受信し、前記コンテンツ格納装置から受信した前記コンテンツ情報に基づく画面上に当該広告情報が表示されるよう処理するコンテンツ処理手段と、
を備えたことを特徴とする端末装置。
【発明の詳細な説明】
【技術分野】
【０００１】
本発明は、ゲームなどのコンテンツ配信における利用者の行動範囲予測および広告の効果的多重を行うためのコンテンツ配信システム、並びにコンテンツ配信システムを構成する広告挿入装置および端末装置に関するものである。
【背景技術】
【０００２】
携帯電話の普及に伴い、携帯電話の利用者向けに様々なサービスが提供されている。提供されるサービスの中には、利用料金を低減あるいは無料化するために広告が含まれているものが多い。近年、利用者の現在位置がわかるＧＰＳ（Ｇｌｏｂａｌ  Ｐｏｓｉｔｉｏｎｉｎｇ  Ｓｙｓｔｅｍ）機能搭載の携帯電話も登場し、利用者の行動履歴に応じた店舗広告提供システムも実現されている。
【０００３】
ここで、（特許文献１）は、広告配信システムであって、顧客端末は、顧客情報と広告配信を希望する商品とその商品に対する条件を広告提供システムに送信し、小売店端末は、顧客に通知したい広告情報を広告提供システムに送信する。そして、顧客の携帯電話は、ＧＰＳ機能を用いて位置情報を取得し、位置情報分析システムに送信し、位置情報分析システムは、登録された位置情報から携帯番号毎に行動パターンを分析し、広告提供システムは、位置情報分析システムから取得した顧客の行動範囲情報を基に該当する店舗情報を抽出し、抽出した店舗の登録商品の中から顧客が広告配信を希望する商品の条件に適合するものを抽出して顧客が希望する商品情報を決定し、顧客専用の広告を作成し顧客端末に送信することが開示されている。
【０００４】
また、携帯電話に搭載されたサービスの一つとしてゲームがある。携帯電話のゲーム利用者は年々加増加しており、広告挿入や来店誘導の場としても注目されている。ここで、（特許文献２）は、ゲーム画面内に広告を表示可能なゲーム装置であって、商品広告の提供を長時間かつ安価に行うようにするため、利用者がゲーム装置でゲームを行う際の対戦相手となるキャラクターの画像およびキャラクターと関連する商品の画像を記憶し、記憶された複数のキャラクターの名称や画像を表示して利用者の対戦相手となるキャラクターの選択を受付け、選択された選択画像と関連付けられた商品情報を記憶し、選択された画像に関連する商品の画像をゲーム画像として組み込むことを決定し、商品の画像が組み込まれたゲーム画像を表示することが開示されている。
【０００５】
また、（特許文献３）には、位置連動型ゲームにおいて、ゲーム結果によるポイント等を購入時に利用できるようにして、ゲーム利用者を来店への誘導する、ネットワークを利用したエンターテイメントシステムが開示されている。すなわち、（特許文献３）において、利用者が携帯端末を使ってゲームを開始すると、エンターテイメントシステムにおいて、ＧＰＳ衛星あるいは携帯電話、ＰＨＳの基地局から位置情報を取得し、サーバに通知する。サーバはこの通知に従って、利用者のいる周辺の地図を携帯端末に表示させて、付近のイベントスポットの選択をさせ、利用者がイベントスポットを選択するとクイズやミニゲームが利用者に提示される。利用者は、地図を頼りに実際のイベントスポットに移動し、ヒントを得てクイズやミニゲームを行い、これらをクリアするとポイントを獲得する。そして、このポイントはサーバに蓄積され、実際の店舗での商品やサービスの購入に使用される。
【特許文献１】特開２００５−１４８２８９号公報
【特許文献２】特開２００３−１５４１７５号公報
【特許文献３】特開２００２−４９６８１号公報
【発明の開示】
【発明が解決しようとする課題】
【０００６】
しかしながら、（特許文献１）に示す従来の広告配信システムでは、過去に移動した履歴範囲の広告しか提供できず、履歴範囲外の店舗に対する潜在需要を喚起できない課題を有していた。
【０００７】
また、（特許文献２）に示すゲーム装置ではゲーム中の看板等固定的な表現方法に多種多様な商品の広告を掲示するのみで、利用者への訴求力が弱いという課題を有していた。
【０００８】
また、（特許文献３）に示すネットワークを利用したエンターテイメントシステムでは、対象商品に関心のない利用者に対する、広告効果が弱いという課題を有していた。
【０００９】
本発明は、一例として上記種々の問題に鑑みてなされたもので、利用者の過去の移動履歴のみにとらわれない行動可能な範囲にかかる広告をコンテンツに挿入し、訴求効果を高めることができる、コンテンツ配信システム、広告挿入装置、および、端末装置を提供することを目的とする。
【課題を解決するための手段】
【００１０】
上述した課題を解決し、上述した目的を達成するために、本発明は、コンテンツ情報を格納し送信するコンテンツ格納装置と、広告情報を格納する広告格納装置に接続され前記広告情報を送信する広告挿入装置と、前記コンテンツ情報および前記広告情報を受信して表示する端末装置と、をネットワークを介して通信可能に構成したコンテンツ配信システムであって、前記端末装置は、当該端末装置を有する利用者の位置情報を検出し、前記位置情報を前記広告挿入装置に送信する位置検出手段と、前記コンテンツ格納装置から受信した前記コンテンツ情報に基づく画面上に、前記広告挿入装置から受信した前記広告情報が表示されるよう処理するコンテンツ処理手段と、を備え、前記広告挿入装置は、前記端末装置から送信された前記位置情報を受信して、行動範囲の起点となる前記利用者の現在地を特定する行動範囲起点特定手段と、前記利用者の属性情報を記憶部に記憶し、前記属性情報に基づいて、前記利用者の前記行動範囲を予測する行動範囲予測手段と、前記広告情報にかかる店舗の店舗情報を前記記憶部に記憶し、前記行動起点特定手段により特定された前記行動範囲の前記起点と、前記行動範囲予測手段により予測された前記行動範囲と、に基づいて、当該行動範囲内に属する店舗の前記店舗情報を前記記憶部から抽出する店舗情報抽出手段と、前記店舗情報抽出手段により抽出された前記店舗情報の前記店舗毎に、前記利用者の前記位置情報および／または前記属性情報と、当該店舗の前記店舗情報と、に基づいて評点を算出する店舗評点算出手段と、前記店舗評点算出手段によって算出された前記評点に基づいて前記店舗を選択し、選択した前記店舗にかかる前記広告情報を送信するよう前記広告格納装置に要求する広告要求手段と、を備えたことを特徴とする。
【００１１】
また、本発明は、コンテンツ情報を格納し送信するコンテンツ格納装置と、広告情報を格納する広告格納装置に接続され前記広告情報を送信する広告挿入装置と、前記コンテンツ情報および前記広告情報を受信して表示する端末装置と、をネットワークを介して通信可能に構成したコンテンツ配信システムであって、前記端末装置は、当該端末装置を有する利用者の位置情報を検出する位置検出手段と、前記位置検出手段により検出された前記位置情報に基づいて、行動範囲の起点となる前記利用者の現在地を特定し、前記広告挿入装置に送信する行動範囲起点特定手段と、前記利用者の属性情報を記憶部に記憶し、前記属性情報に基づいて、前記利用者の前記行動範囲を予測し、前記広告挿入装置に送信する行動範囲予測手段と、前記コンテンツ格納装置から受信した前記コンテンツ情報に基づく画面上に、前記広告挿入装置から受信した前記広告情報が表示されるよう処理するコンテンツ処理手段と、前記広告挿入装置は、前記広告情報にかかる店舗の店舗情報を前記記憶部に記憶し、前記端末装置から送信された前記起点と前記行動範囲とに基づいて、当該行動範囲内に属する店舗の前記店舗情報を前記記憶部から抽出する店舗情報抽出手段と、前記店舗情報抽出手段により抽出された前記店舗情報の前記店舗毎に、前記利用者の前記位置情報および／または前記属性情報と、当該店舗の前記店舗情報と、に基づいて評点を算出する店舗評点算出手段と、前記店舗評点算出手段によって算出された前記評点に基づいて前記店舗を選択し、選択した前記店舗にかかる前記広告情報を送信するよう前記広告格納装置に要求する広告要求手段と、を備えたことを特徴とする。
【００１２】
また、本発明は、コンテンツ情報を格納し送信するコンテンツ格納装置と、前記コンテンツ情報および前記広告情報を受信して表示する端末装置と、広告情報を格納する広告格納装置と、にネットワークを介して通信可能に接続され、前記広告情報を送信する広告挿入装置であって、前記端末装置により検出された当該端末装置の利用者の前記位置情報を受信して、行動範囲の起点となる前記利用者の現在地を特定する行動範囲起点特定手段と、前記利用者の属性情報を記憶部に記憶し、前記属性情報に基づいて、前記利用者の前記行動範囲を予測する行動範囲予測手段と、前記広告情報にかかる店舗の店舗情報を前記記憶部に記憶し、前記行動起点特定手段により特定された前記行動範囲の前記起点と、前記行動範囲予測手段により予測された前記行動範囲と、に基づいて、当該行動範囲内に属する店舗の前記店舗情報を前記記憶部から抽出する店舗情報抽出手段と、前記店舗情報抽出手段により抽出された前記店舗情報の前記店舗毎に、前記利用者の前記位置情報および／または前記属性情報と、当該店舗の前記店舗情報と、に基づいて評点を算出する店舗評点算出手段と、前記店舗評点算出手段によって算出された前記評点に基づいて前記店舗を選択し、選択した前記店舗にかかる前記広告情報を送信するよう前記広告格納装置に要求する広告要求手段と、を備えたことを特徴とする。
【００１３】
また、本発明は、コンテンツ情報を格納し送信するコンテンツ格納装置と、広告情報を格納する広告格納装置に接続され前記広告情報を送信する広告挿入装置と、にネットワークを介して通信可能に構成され、前記コンテンツ情報および前記広告情報を受信して表示する端末装置であって、前記端末装置は、当該端末装置を有する利用者の位置情報を検出する位置検出手段と、前記位置検出手段により検出された前記位置情報に基づいて、行動範囲の起点となる前記利用者の現在地を特定し、前記広告挿入装置に送信する行動範囲起点特定手段と、前記利用者の属性情報を記憶部に記憶し、前記属性情報に基づいて、前記利用者の前記行動範囲を予測し、前記広告挿入装置に送信する行動範囲予測手段と、送信した前記起点と前記行動範囲に基づいて前記広告挿入装置により選択された店舗にかかる前記広告情報を前記広告挿入装置から受信し、前記コンテンツ格納装置から受信した前記コンテンツ情報に基づく画面上に当該広告情報が表示されるよう処理するコンテンツ処理手段と、を備えたことを特徴とする。
【発明の効果】
【００１４】
本発明によれば、利用者の過去の移動履歴だけにとらわれず、行動可能な範囲にかかる広告をコンテンツに挿入することができ、訴求効果を高めることができる、コンテンツ配信システム、広告挿入装置、および、端末装置が得られる。また、利用者の位置の近辺でありながら未だ訪問したことのない潜在的な店舗顧客に対して訴求効果を高めることができる、コンテンツ配信システム、広告挿入装置、および、端末装置が得られる。
【発明を実施するための最良の形態】
【００１５】
第１の発明のコンテンツ配信システムは、コンテンツ情報を格納し送信するコンテンツ格納装置と、広告情報を格納する広告格納装置に接続され広告情報を送信する広告挿入装置と、コンテンツ情報および広告情報を受信して表示する端末装置と、をネットワークを介して通信可能に構成したコンテンツ配信システムであって、端末装置は、当該端末装置を有する利用者の位置情報を検出し、位置情報を広告挿入装置に送信する位置検出手段と、コンテンツ格納装置から受信したコンテンツ情報に基づく画面上に、広告挿入装置から受信した広告情報が表示されるよう処理するコンテンツ処理手段と、を備え、広告挿入装置は、端末装置から送信された位置情報を受信して、行動範囲の起点となる利用者の現在地を特定する行動範囲起点特定手段と、利用者の属性情報を記憶部に記憶し、属性情報に基づいて、利用者の行動範囲を予測する行動範囲予測手段と、広告情報にかかる店舗の店舗情報を記憶部に記憶し、行動起点特定手段により特定された行動範囲の起点と、行動範囲予測手段により予測された行動範囲と、に基づいて、当該行動範囲内に属する店舗の店舗情報を記憶部から抽出する店舗情報抽出手段と、店舗情報抽出手段により抽出された店舗情報の店舗毎に、利用者の位置情報および／または属性情報と、当該店舗の店舗情報と、に基づいて評点を算出する店舗評点算出手段と、店舗評点算出手段によって算出された評点に基づいて店舗を選択し、選択した店舗にかかる広告情報を送信するよう広告格納装置に要求する広告要求手段と、を備えたことを特徴とする。
【００１６】
本発明によれば、端末装置は、当該端末装置を有する利用者の位置情報を検出し、位置情報を広告挿入装置に送信し、受信したコンテンツ情報に基づく画面上に、広告挿入装置から受信した広告情報が表示されるよう処理し、広告挿入装置は、端末装置から送信された位置情報を受信して、行動範囲の起点となる利用者の現在地を特定し、利用者の属性情報を記憶部に記憶し、属性情報に基づいて、利用者の行動範囲を予測し、広告情報にかかる店舗の店舗情報を記憶部に記憶し、特定された行動範囲の起点と、予測された行動範囲と、に基づいて、当該行動範囲内に属する店舗の店舗情報を記憶部から抽出し、抽出された店舗情報の店舗毎に、利用者の位置情報および／または属性情報と、当該店舗の店舗情報と、に基づいて評点を算出し、算出された評点に基づいて店舗を選択し、選択した店舗にかかる広告情報を送信するよう広告格納装置に要求するので、利用者の過去の移動履歴にとらわれずに、利用者の行動可能な範囲の広告をコンテンツに挿入することができ、利用者の位置の近辺でありながら未だ訪問したことのない潜在的な店舗顧客に対して訴求効果を高めることができるという作用を有する。
【００１７】
第２の発明のコンテンツ配信システムは、コンテンツ情報を格納し送信するコンテンツ格納装置と、広告情報を格納する広告格納装置に接続され広告情報を送信する広告挿入装置と、コンテンツ情報および広告情報を受信して表示する端末装置と、をネットワークを介して通信可能に構成したコンテンツ配信システムであって、端末装置は、当該端末装置を有する利用者の位置情報を検出する位置検出手段と、位置検出手段により検出された位置情報に基づいて、行動範囲の起点となる利用者の現在地を特定し、広告挿入装置に送信する行動範囲起点特定手段と、利用者の属性情報を記憶部に記憶し、属性情報に基づいて、利用者の行動範囲を予測し、広告挿入装置に送信する行動範囲予測手段と、コンテンツ格納装置から受信したコンテンツ情報に基づく画面上に、広告挿入装置から受信した広告情報が表示されるよう処理するコンテンツ処理手段と、を備え、広告挿入装置は、広告情報にかかる店舗の店舗情報を記憶部に記憶し、端末装置から送信された起点と行動範囲とに基づいて、当該行動範囲内に属する店舗の店舗情報を記憶部から抽出する店舗情報抽出手段と、店舗情報抽出手段により抽出された店舗情報の店舗毎に、利用者の位置情報および／または属性情報と、当該店舗の店舗情報と、に基づいて評点を算出する店舗評点算出手段と、店舗評点算出手段によって算出された評点に基づいて店舗を選択し、選択した店舗にかかる広告情報を送信するよう広告格納装置に要求する広告要求手段と、を備えたことを特徴とする。
【００１８】
本発明によれば、端末装置は、当該端末装置を有する利用者の位置情報を検出し、検出された位置情報に基づいて、行動範囲の起点となる利用者の現在地を特定し、広告挿入装置に送信し、利用者の属性情報を記憶部に記憶し、属性情報に基づいて、利用者の行動範囲を予測し、広告挿入装置に送信し、コンテンツ格納装置から受信したコンテンツ情報に基づく画面上に、広告挿入装置から受信した広告情報が表示されるよう処理し、広告挿入装置は、広告情報にかかる店舗の店舗情報を記憶部に記憶し、端末装置から送信された起点と行動範囲とに基づいて、当該行動範囲内に属する店舗の店舗情報を記憶部から抽出し、抽出された店舗情報の店舗毎に、利用者の位置情報および／または属性情報と、当該店舗の店舗情報と、に基づいて評点を算出し、算出された評点に基づいて店舗を選択し、選択した店舗にかかる広告情報を送信するよう広告格納装置に要求するので、利用者の過去の移動履歴にとらわれずに、利用者の行動可能な範囲の広告をコンテンツに挿入することができ、利用者の位置の近辺でありながら未だ訪問したことのない潜在的な店舗顧客に対して訴求効果を高めることができるという作用を有する。
【００１９】
第３の発明のコンテンツ配信システムは、第２の発明のコンテンツ配信システムにおいて、属性情報は、利用者の行動履歴に依存しない当該利用者の個人属性情報であることを特徴とする。
【００２０】
本発明によれば、属性情報は、利用者の行動履歴に依存しない当該利用者の個人属性情報であるので、利用者の過去の移動履歴にとらわれずに、過去に訪問したことがある場所以外の場所へ誘導されるため、意外性によるゲームとしての楽しみを向上させることが可能となるという作用を有する。
【００２１】
第４の発明のコンテンツ配信システムは、第３の発明のコンテンツ配信システムにおいて、属性情報は、利用者が現在おかれている環境の情報であることを特徴とする。
【００２２】
本発明によれば、属性情報は、利用者が現在おかれている環境の情報であるので、過去の移動履歴にとらわれずに、利用者の行動可能な範囲の広告をコンテンツに挿入することができ、利用者の位置の近辺でありながら未だ訪問したことのない潜在的な店舗顧客に対して効果的に広告配信することが可能となるという作用を有する。
【００２３】
第５の発明のコンテンツ配信システムは、第４の発明のコンテンツ配信システムにおいて、行動範囲起点特定手段は、利用者の位置情報を、曜日毎および／または時間帯毎に記憶部に記憶して当該利用者の生活パターン情報を作成し、記憶部に記憶された生活パターン情報に基づいて行動範囲の起点を変更すること、を特徴とする。
【００２４】
本発明によれば、利用者の位置情報を、曜日毎および／または時間帯毎に記憶部に記憶して当該利用者の生活パターン情報を作成し、記憶部に記憶された生活パターン情報に基づいて行動範囲の起点を変更するので、過去の生活パターンに基づき、近い将来の利用者の移動先を起点とすることで、利用者がより容易に到達しやすい店舗を選択できるという作用を有する。
【００２５】
第６の発明のコンテンツ配信システムは、第５の発明のコンテンツ配信システムにおいて、行動範囲予測手段は、利用者の位置情報に対する当該利用者の属性情報に基づいて、行動範囲を重み付けして予測すること、を特徴とする。
【００２６】
本発明によれば、利用者の位置情報に対する当該利用者の属性情報に基づいて、行動範囲を重み付けして予測するので、位置情報（例えば、現在位置）に応じた利用者の属性情報に基づいて移動手段等を考慮して重み付けすることで、利用者がより容易に到達しやすい店舗を選択することができるという作用を有する。
【００２７】
第７の発明のコンテンツ配信システムは、第６の発明のコンテンツ配信システムにおいて、行動範囲予測手段は、利用者の位置情報に対する他の利用者の位置情報に基づいて、行動範囲を重み付けして予測すること、を特徴とする。
【００２８】
本発明によれば、利用者の位置情報に対する他の利用者の位置情報に基づいて、行動範囲を重み付けして予測するので、複数端末の連動によって行動範囲を広い方に合わせることができる等、店舗選択の選択幅を広げることができるという作用を有する。
【００２９】
第８の発明のコンテンツ配信システムは、第７の発明のコンテンツ配信システムにおいて、行動範囲予測手段は、利用者の内部環境の属性情報として当該利用者の健康状態情報に基づいて、行動範囲を重み付けして予測すること、を特徴とする。
【００３０】
本発明によれば、利用者の内部環境の属性情報として当該利用者の健康状態情報に基づいて、行動範囲を重み付けして予測するので、健康状態を考慮することで利用者に無理を強いることなく、容易に到達しやすい店舗を選択することができるという作用を有する。
【００３１】
第９の発明のコンテンツ配信システムは、第８の発明のコンテンツ配信システムにおいて、行動範囲予測手段は、起点から店舗までの経路を探索し、利用者の当該経路に対する移動時間を推定し、移動時間に基づいて行動範囲を重み付けして予測すること、を特徴とする。
【００３２】
本発明によれば、起点から店舗までの経路を探索し、利用者の当該経路に対する移動時間を推定し、移動時間に基づいて行動範囲を重み付けして予測するので、利用者毎の経路上の移動速度の違い等を考慮することで、無理なく来店できる店舗を優先的に選択することができるという作用を有する。
【００３３】
第１０の発明のコンテンツ配信システムは、第９の発明のコンテンツ配信システムにおいて、店舗評点算出手段は、起点から店舗までの経路を探索し、探索した経路の移動距離および／または勾配に基づいて、当該店舗の評点を算出すること、を特徴とする。
【００３４】
本発明によれば、起点から店舗までの経路を探索し、探索した経路の移動距離および／または勾配に基づいて、当該店舗の評点を算出するので、店舗側の都合の良い時間に来店を促すことで、広告としての価値を高め、また、利用者にとっては、利用者毎の経路上の移動速度の違い等を考慮することで、無理なく来店できる店舗を優先的に選択することができるという作用を有する。
【００３５】
第１１の発明のコンテンツ配信システムは、第１０の発明のコンテンツ配信システムにおいて、店舗評点算出手段は、店舗の店舗状況に基づいて、当該店舗の評点を算出すること、を特徴とする。
【００３６】
本発明によれば、店舗の店舗状況に基づいて、当該店舗の評点を算出するので、リアルタイムの混雑情報により、混雑時を避けることができるという作用を有する。
【００３７】
第１２の発明のコンテンツ配信システムは、第１１の発明のコンテンツ配信システムにおいて、店舗評点算出手段は、利用者の位置情報を行動履歴情報として記憶部に記憶し、店舗の属性情報に対する行動履歴情報に基づいて、当該店舗の評点を算出すること、を特徴とする。
【００３８】
本発明によれば、利用者の位置情報を行動履歴情報として記憶部に記憶し、店舗の属性情報に対する利用者の行動履歴情報に基づいて、当該店舗の評点を算出するので、利用者の行動履歴を反映することで、来店意欲の沸きやすい店舗を優先的に選択することができるという作用を有する。
【００３９】
第１３の発明のコンテンツ配信システムは、第１２の発明のコンテンツ配信システムにおいて、店舗評点算出手段は、起点から店舗までの経路を探索し、探索した経路を天候状況情報に基づいて重み付けし、重み付けされた経路に基づいて、当該店舗の評点を算出すること、を特徴とする。
【００４０】
本発明によれば、起点から店舗までの経路を探索し、探索した経路を天候状況情報に基づいて重み付けし、重み付けされた経路に基づいて、当該店舗の評点を算出するので、利用者が無理なく来店可能な店舗の広告を提示することができるという作用を有する。
【００４１】
第１４の発明のコンテンツ配信システムは、第１３の発明のコンテンツ配信システムにおいて、店舗評点算出手段は、起点から店舗までの経路を探索し、利用者の位置情報に基づいて移動手段を推定し、推定した移動手段に基づいて経路を重み付けし、重み付けされた経路に基づいて、当該店舗の評点を算出すること、を特徴とする。
【００４２】
本発明によれば、起点から店舗までの経路を探索し、利用者の位置情報に基づいて移動手段を推定し、推定した移動手段に基づいて経路を重み付けし、重み付けされた経路に基づいて、当該店舗の評点を算出するので、利用者の移動手段を考慮することによって、より適切な店舗評価を行うことや店舗選択の選択幅を広げることができるという作用を有する。
【００４３】
第１５の発明のコンテンツ配信システムは、第１４の発明のコンテンツ配信システムにおいて、店舗情報抽出手段は、行動範囲起点特定手段により特定された行動範囲の起点が、最新の位置情報と異なる場合、行動範囲を補正することを特徴とする。
【００４４】
本発明によれば、特定された行動範囲の起点が、最新の位置情報と異なる場合、行動範囲を補正するので、より利用者の現在位置に即した適切な広告情報を提供することができるという作用を有する。
【００４５】
第１６の発明のコンテンツ配信システムは、第１５の発明のコンテンツ配信システムにおいて、ネットワークを介して接続された店舗情報管理装置を更に備え、コンテンツ情報は、選択可能な２つ以上のシナリオを有し、店舗情報管理装置は、広告情報にかかる店舗を利用者が訪問したこと、または、当該店舗において商品を購入したことを利用者の利用情報として検出し、利用情報を広告挿入装置に送信する利用者行動検出手段、を備え、広告挿入装置は、店舗情報管理装置から送信された利用情報に基づいて記憶部に記憶されたシナリオの選択肢情報を選択し、選択した選択肢情報にかかるシナリオを利用者の端末装置に送信するよう制御するシナリオ送信要求を、コンテンツ格納装置へ送信するシナリオ選択手段、を更に備えたことを特徴とする。
【００４６】
本発明によれば、店舗情報管理装置を更に備え、コンテンツ情報は、選択可能な２つ以上のシナリオを有し、店舗情報管理装置は、広告情報にかかる店舗を利用者が訪問したこと、または、当該店舗において商品を購入したことを利用者の利用情報として検出し、利用情報を広告挿入装置に送信し、広告挿入装置は、店舗情報管理装置から送信された利用情報に基づいて記憶部に記憶されたシナリオの選択肢情報を選択し、選択した選択肢情報にかかるシナリオを利用者の端末装置に送信するよう制御するシナリオ送信要求を、コンテンツ格納装置へ送信するので、挿入した広告にかかる店舗への訪問結果を、コンテンツのシナリオへフィードバックして、利用者に広告に対する関心を持たせることができるという作用を有する。また、挿入された広告にかかる店舗訪問や商品購入を、コンテンツをより楽しむための条件とすることによって、対象商品に当初関心のなかった利用者に対しても来店・購入誘導を行えるため、広告効果を強化することができるという作用を有する。
【００４７】
第１７の発明のコンテンツ配信システムは、第１６の発明のコンテンツ配信システムにおいて、広告挿入装置は、端末装置に送信されたコンテンツ情報を解析するコンテンツ解析手段、を更に備え、広告要求手段は、コンテンツ解析手段で解析されたコンテンツ情報の解析結果に合致した広告情報を広告格納装置に要求することを特徴とする。
【００４８】
本発明によれば、端末装置に送信されたコンテンツ情報を解析し、解析されたコンテンツ情報の解析結果に合致した広告情報を広告格納装置に要求するので、コンテンツのシナリオに溶け込んだ多様な手法で広告を提示することができ、利用者に違和感を抱かせずに、広告の訴求力を強化することができるという作用を有する。また、コンテンツのシナリオに合致した広告を選択して挿入して、より利用者の関心を引くことができるという作用を有する。
【００４９】
第１８の発明のコンテンツ配信システムは、第１７の発明のコンテンツ配信システムにおいて、広告挿入装置は、端末装置を有する利用者の個人属性情報を記憶部に保持する個人属性保持手段、を更に備えたことを特徴とする。
【００５０】
本発明によれば、端末装置を有する利用者の個人属性情報を記憶部に保持するので、より個々の利用者の嗜好に即した適切な広告を表示することができるという作用を有する。
【００５１】
第１９の発明のコンテンツ配信システムは、第１８の発明のコンテンツ配信システムにおいて、コンテンツ情報は、外部から情報挿入が可能であるオブジェクトを示す広告挿入オブジェクトを一つ以上含むことを特徴とする。
【００５２】
本発明によれば、コンテンツ情報は、外部から情報挿入が可能であるオブジェクトを示す広告挿入オブジェクトを一つ以上含むので、オブジェクトに外部から情報を挿入することができるという作用を有する。
【００５３】
第２０の発明のコンテンツ配信システムは、第１９の発明のコンテンツ配信システムにおいて、広告挿入オブジェクトは、オブジェクトに挿入するのに適した対象物を示す情報であるオブジェクト種別情報を一つ以上含むことを特徴とする。
【００５４】
本発明によれば、広告挿入オブジェクトは、オブジェクトに挿入するのに適した対象物を示す情報であるオブジェクト種別情報を一つ以上含むので、よりコンテンツに溶け込んだ手法で利用者の関心を引くことができるという作用を有する。
【００５５】
第２１の発明のコンテンツ配信システムは、第２０の発明のコンテンツ配信システムにおいて、コンテンツ情報は、コンテンツ内のストーリーの選択肢を示す重み付けオブジェクトを一つ以上含み、広告要求手段は、個人属性保持手段により記憶部に保持された個人属性や行動範囲と重み付けオブジェクトを組み合わせて、要求する広告を選択することを特徴とする。
【００５６】
本発明によれば、コンテンツ情報は、コンテンツ内のストーリーの選択肢を示す重み付けオブジェクトを一つ以上含み、記憶部に保持された個人属性や行動範囲と重み付けオブジェクトを組み合わせて、要求する広告を選択するので、挿入した広告にかかる店舗への訪問結果を、コンテンツのシナリオへフィードバックして、利用者に広告に対する関心を持たせることができるという作用を有する。
【００５７】
第２２の発明のコンテンツ配信システムは、第２１の発明のコンテンツ配信システムにおいて、広告情報は、広告元の業種や要望する客層を示す広告情報識別子を一つ以上含み、広告要求手段は、広告格納装置に広告情報識別子に基づいて適切な広告を選択して送信するよう要求する、広告情報識別子を含む要求情報を広告格納装置に送信することを特徴とする。
【００５８】
本発明によれば、広告情報は、広告元の業種や要望する客層を示す広告情報識別子を一つ以上含み、広告格納装置に広告情報識別子に基づいて適切な広告を選択して送信するよう要求する、広告情報識別子を含む要求情報を広告格納装置に送信するので、より多様な層に即した訴求効果を見込むことができるという作用を有する。
【００５９】
第２３の発明のコンテンツ配信システムは、第２２の発明のコンテンツ配信システムにおいて、広告格納装置は、広告情報識別子に基づいて、広告情報のリストを作成し、広告挿入装置に送信する広告リスト作成手段、を更に備え、店舗情報抽出手段は、送信されたリストに基づいて、行動範囲内に属する店舗の店舗情報を記憶部から抽出することを特徴とする。
【００６０】
本発明によれば、広告情報識別子に基づいて、広告情報のリストを作成し、広告挿入装置に送信し、送信されたリストに基づいて、行動範囲内に属する店舗の店舗情報を記憶部から抽出するので、端末装置へ応答速度を高めることができるという作用を有する。
【００６１】
第２４の発明の広告挿入装置は、コンテンツ情報を格納し送信するコンテンツ格納装置と、広告情報を格納する広告格納装置と、コンテンツ情報および広告情報を受信して表示する端末装置と、にネットワークを介して通信可能に接続され、広告情報を送信する広告挿入装置であって、端末装置により検出された当該端末装置の利用者の位置情報を受信して、行動範囲の起点となる利用者の現在地を特定する行動範囲起点特定手段と、利用者の属性情報を記憶部に記憶し、属性情報に基づいて、利用者の行動範囲を予測する行動範囲予測手段と、広告情報にかかる店舗の店舗情報を記憶部に記憶し、行動起点特定手段により特定された行動範囲の起点と、行動範囲予測手段により予測された行動範囲と、に基づいて、当該行動範囲内に属する店舗の店舗情報を記憶部から抽出する店舗情報抽出手段と、店舗情報抽出手段により抽出された店舗情報の店舗毎に、利用者の位置情報および／または属性情報と、当該店舗の店舗情報と、に基づいて評点を算出する店舗評点算出手段と、店舗評点算出手段によって算出された評点に基づいて店舗を選択し、選択した店舗にかかる広告情報を送信するよう広告格納装置に要求する広告要求手段と、を備えたことを特徴とする。
【００６２】
本発明によれば、端末装置により検出された当該端末装置の利用者の位置情報を受信して、行動範囲の起点となる利用者の現在地を特定し、利用者の属性情報を記憶部に記憶し、属性情報に基づいて、利用者の行動範囲を予測し、広告情報にかかる店舗の店舗情報を記憶部に記憶し、特定された行動範囲の起点と、予測された行動範囲と、に基づいて、当該行動範囲内に属する店舗の店舗情報を記憶部から抽出し、抽出された店舗情報の店舗毎に、利用者の位置情報および／または属性情報と、当該店舗の店舗情報と、に基づいて評点を算出し、算出された評点に基づいて店舗を選択し、選択した店舗にかかる広告情報を送信するので、利用者の過去の移動履歴にとらわれずに、利用者の行動可能な範囲の広告をコンテンツに挿入することができ、利用者の位置の近辺でありながら未だ訪問したことのない潜在的な店舗顧客に対して訴求効果を高めることができるという作用を有する。
【００６３】
第２５の発明の端末装置は、コンテンツ情報を格納し送信するコンテンツ格納装置と、広告情報を格納する広告格納装置に接続され広告情報を送信する広告挿入装置と、にネットワークを介して通信可能に構成され、コンテンツ情報および広告情報を受信して表示する端末装置であって、端末装置は、当該端末装置を有する利用者の位置情報を検出する位置検出手段と、位置検出手段により検出された位置情報に基づいて、行動範囲の起点となる利用者の現在地を特定し、広告挿入装置に送信する行動範囲起点特定手段と、利用者の属性情報を記憶部に記憶し、属性情報に基づいて、利用者の行動範囲を予測し、広告挿入装置に送信する行動範囲予測手段と、送信した起点と行動範囲に基づいて広告挿入装置により選択された店舗にかかる広告情報を広告挿入装置から受信し、コンテンツ格納装置から受信したコンテンツ情報に基づく画面上に当該広告情報が表示されるよう処理するコンテンツ処理手段と、を備えたことを特徴とする。
【００６４】
本発明によれば、端末装置を有する利用者の位置情報を検出し、検出された位置情報に基づいて、行動範囲の起点となる利用者の現在地を特定し、広告挿入装置に送信し、利用者の属性情報を記憶部に記憶し、属性情報に基づいて、利用者の行動範囲を予測し、広告挿入装置に送信し、送信した起点と行動範囲に基づいて広告挿入装置により選択された店舗にかかる広告情報を広告挿入装置から受信し、コンテンツ格納装置から受信したコンテンツ情報に基づく画面上に当該広告情報が表示されるよう処理するので、利用者の過去の移動履歴にとらわれずに、利用者の行動可能な範囲の広告をコンテンツに挿入することができ、利用者の位置の近辺でありながら未だ訪問したことのない潜在的な店舗顧客に対して訴求効果を高めることができるという作用を有する。
【００６５】
以下に、本発明にかかるコンテンツ配信システム、広告挿入装置、および、端末装置の実施の形態を図面に基づいて詳細に説明する。なお、この実施の形態により本発明が限定されるものではない。
［本発明の概要］
以下、本発明の概要について説明し、その後、本発明の構成および処理等について詳細に説明する。図１は、本発明の基本構成を一例として示す構成概要図である。図１において、符号１００は、端末装置であり、符号２００は、広告格納装置であり、符号３００は、コンテンツ格納装置であり、符号４００は、広告挿入装置である。
【００６６】
本発明は、概略的に、以下の基本的特徴を有する。すなわち、図１に示すように、本発明のコンテンツ配信システムは、コンテンツ情報を格納し送信するコンテンツ格納装置３００と、広告情報を格納する広告格納装置２００に接続され広告情報を送信する広告挿入装置４００と、コンテンツ情報および広告情報を受信して表示する端末装置１００と、をネットワークを介して通信可能に構成される。ここで、図２は、本発明の基本原理の一例を示すフローチャートである。
【００６７】
すなわち、まず、広告挿入装置４００は、端末装置１００により検出された利用者の位置情報を受信して、行動範囲の起点となる利用者の現在地を特定する（Ｓ２０１）。
【００６８】
そして、広告挿入装置４００は、利用者の属性情報を記憶部に記憶し、属性情報に基づいて、利用者の行動範囲を予測する（Ｓ２０２）。ここで、属性情報は、利用者の行動履歴に依存しない当該利用者の個人属性情報であってもよく、利用者が現在おかれている環境の情報であってもよい。
【００６９】
そして、広告挿入装置４００は、広告情報にかかる店舗の店舗情報を記憶部に記憶し、特定された行動範囲の起点と、予測された行動範囲と、に基づいて、当該行動範囲内に属する店舗の店舗情報を記憶部から抽出する（Ｓ２０３）。ここで、広告挿入装置４００は、特定された行動範囲の起点が、最新の位置情報と異なる場合は、当該行動範囲を補正してもよい。
【００７０】
そして、広告挿入装置４００は、抽出された店舗情報の店舗毎に、利用者の位置情報および／または属性情報と、当該店舗の店舗情報と、に基づいて評点を算出する（Ｓ２０４）。
【００７１】
そして、広告挿入装置４００は、算出された評点に基づいて店舗を選択する（Ｓ２０５）。
【００７２】
そして、広告挿入装置４００は、選択した店舗にかかる広告情報を送信するよう広告格納装置２００に要求する（Ｓ２０６）。
【００７３】
そして、要求を受信した広告格納装置２００は、広告情報を広告挿入装置４００に送信し、広告挿入装置４００は、受信した広告情報を端末装置１００に送信する（Ｓ２０７）。
【００７４】
広告情報を受信した端末装置１００は、コンテンツ格納装置３００から受信したコンテンツ情報に基づく画面上に、広告挿入装置４００から受信した広告情報が表示されるよう処理する。ここで、図３は、本発明の基本原理を一例として示す模式図である。
【００７５】
一例として図３に示すように、端末装置１００は、表示画面に、ＧＰＳや基地局等により検出された利用者の現在位置を中心に、個人情報等に基づいて予測された行動範囲（例えば、個人プロファイルが中学生の場合は半径１ｋｍの範囲。）内にある店舗等の広告情報を、ゲームなどのコンテンツ内に挿入して表示する。
【００７６】
以上が本発明の概要である。ここで、上述の起点を特定する処理または行動範囲を予測する処理は、端末装置１００において実行するよう構成してもよい。また、コンテンツ配信システムは、店舗情報管理装置を更に備えて構成してもよい。
【００７７】
この場合、コンテンツ情報は、選択可能な２つ以上のシナリオを有しており、店舗情報管理装置は、広告情報にかかる店舗を利用者が訪問したこと、または、当該店舗において商品を購入したことを利用者の利用情報として検出し、利用情報を広告挿入装置４００に送信する。
【００７８】
そして、広告挿入装置４００は、店舗情報管理装置から送信された利用情報に基づいて記憶部に記憶されたシナリオの選択肢情報を選択し、選択された選択肢情報にかかるシナリオを利用者の端末装置１００に送信するよう制御する。これにて、発明の概要の説明を終える。
【００７９】
（実施の形態１）
まず、本実施の形態１におけるコンテンツ配信システムの構成について説明する。図４は、本発明が適用される本実施の形態１における本コンテンツ配信システムの構成の一例を示すブロック図である。図４において、符号１００は、端末装置であり、符号２００は、広告格納装置であり、符号３００は、コンテンツ格納装置であり、符号４００は、広告挿入装置である。
【００８０】
図４に示すように、実施の形態１にかかるコンテンツ配信システムは、概略的に、コンテンツを格納するコンテンツ格納装置３００と、広告情報を格納する広告格納装置２００に接続され広告情報を送信する広告挿入装置４００と、コンテンツ情報および広告情報を受信して表示する端末装置１００と、をネットワーク（通信ネットワークや端末側ネットワーク（携帯電話ネットワークや無線ＬＡＮのアクセス網等。）やこれらを繋ぐ配信装置を含む。）を介して通信可能に接続して構成されている。
【００８１】
ここで、広告格納装置２００やコンテンツ格納装置３００や広告挿入装置４００や配信装置等は、ＷＥＢサーバやＡＳＰサーバ等として構成していてもよく、そのハードウェア構成は、一般に市販されるワークステーション、パーソナルコンピュータ等の情報処理装置およびその付属装置により構成していてもよい。また、これら装置における各機能は、ハードウェア構成中のＣＰＵ、ディスク装置、メモリ装置、入力装置、出力装置、通信制御装置等およびそれらを制御するプログラム等により実現される。ここで、図５は、実施の形態１のコンテンツ配信システムにおける各装置の構成の一例を示すブロック図であり、該構成のうち本発明に関係する部分のみを概念的に示している。図５において、端末装置１００における、符号１０１は、通信手段であり、符号１０２は、コンテンツ処理手段であり、符号１０３は、表示手段であり、符号１０４は、位置検出手段であり、広告格納装置２００における、符号２０１は、通信手段であり、符号２０２は、広告選択手段であり、符号２０３は、広告蓄積手段であり、コンテンツ格納装置３００における、符号３０１は、通信手段であり、符号３０２は、コンテンツ選択手段であり、符号３０３は、コンテンツ蓄積手段であり、広告挿入装置４００における、符号４０１は、端末装置通信手段であり、符号４０２は、広告格納装置通信手段であり、符号４０３は、広告要求手段であり、符号４０４は、広告送信手段であり、符号４０５は、行動範囲予測手段である。
【００８２】
図５に示すように、端末装置１００は、概略的に、コンテンツ格納装置３００および広告挿入装置４００と通信する通信手段１０１と、広告挿入装置４００から受信した広告情報およびコンテンツ格納装置３００から受信したコンテンツを処理するコンテンツ処理手段１０２と、コンテンツ処理手段１０２で処理された広告付加コンテンツを表示する表示手段１０３と、利用者の位置を検出する位置検出手段１０４と、各手段からアクセス可能な記憶部と、を備えて構成される。ここで、表示手段１０３としては、モニタ（家庭用テレビを含む。）等であり、スピーカ等と一体として構成してもよい。
【００８３】
すなわち、端末装置１００における位置検出手段１０４は、端末装置１００を有する利用者の位置情報を検出し、位置情報を広告挿入装置４００に送信する位置検出手段として機能する。また、コンテンツ処理手段１０２は、コンテンツ格納装置３００から受信したコンテンツ情報に基づく画面上に、広告挿入装置４００から受信した広告情報が表示されるよう処理するコンテンツ処理手段として機能する。
【００８４】
また、広告格納装置２００は、概略的に、広告を蓄積する広告蓄積手段２０３と、広告蓄積手段２０３から広告挿入装置４００の要求に応じて広告を選択する広告選択手段２０２と、広告挿入装置４００と通信する通信手段２０１と、を備えて構成される。
【００８５】
また、コンテンツ格納装置３００は、概略的に、コンテンツを蓄積するコンテンツ蓄積手段３０３と、コンテンツ蓄積手段３０３から端末装置１００の要求に応じてコンテンツ選択するコンテンツ選択手段３０２と、端末装置１００と通信する通信手段３０１と、を備えて構成される。
【００８６】
また、広告挿入装置４００は、概略的に、端末装置１００と通信する端末装置通信手段４０１と、広告格納装置２００と通信する広告格納装置通信手段４０２と、広告格納装置２００に広告情報を要求する広告要求手段４０３と、広告格納装置２００から受信した広告情報を送信する広告送信手段４０４と、利用者の行動範囲を予測する行動範囲予測手段４０５と、各手段からアクセス可能な記憶部と、を備えて構成される。
【００８７】
すなわち、広告挿入装置４００において、行動範囲予測手段４０５は、端末装置１００から送信された位置情報を受信して、行動範囲の起点となる利用者の現在地を特定する行動範囲起点特定手段と、利用者の属性情報を記憶部に記憶し、属性情報に基づいて、利用者の行動範囲を予測する行動範囲予測手段と、広告情報にかかる店舗の店舗情報を記憶部に記憶し、行動起点特定手段により特定された行動範囲の起点と、行動範囲予測手段により予測された行動範囲と、に基づいて、当該行動範囲内に属する店舗の店舗情報を記憶部から抽出する店舗情報抽出手段と、店舗情報抽出手段により抽出された店舗情報の店舗毎に、利用者の位置情報および／または属性情報と、当該店舗の店舗情報と、に基づいて評点を算出する店舗評点算出手段として機能する。また、広告要求手段４０３は、店舗評点算出手段により算出された評点に基づいて店舗を選択し、選択した店舗にかかる広告情報を送信するよう広告格納装置２００に要求する広告要求手段として機能する。
【００８８】
ここで、通信手段１０１や通信手段２０１や通信手段３０１や端末装置通信手段４０１や広告格納装置通信手段４０２等の通信手段は、ネットワークなどの通信回線等に接続されるルータ等の通信装置（図示せず）に接続される通信制御インターフェース等を備えて構成され、通信装置および専用線等の有線または無線の通信回線を介して、ネットワークに通信可能に接続されている。また、広告蓄積手段２０３やコンテンツ蓄積手段３０３等に格納される各種のデータベースやテーブルは、固定ディスク装置等のストレージ手段である。また、上述した各装置における各手段は、一例として図示のごとく、任意の通信路を介して通信可能に接続されている。以上が、実施の形態１におけるコンテンツ配信システムの構成の一例である。
【００８９】
次に、このように構成された実施の形態１におけるコンテンツ配信システムの処理の一例について、以下に、図６および図７を参照して詳細に説明する。図６は、実施の形態１におけるコンテンツ配信システムの各装置間の処理の一例を示すフローチャートである。
【００９０】
図６に示すように、まず、端末装置１００は、通信手段１０１の処理により、利用者の属性情報等を広告挿入装置４００に送信する（Ｓ６０１）。
【００９１】
そして、広告挿入装置４００は、行動範囲予測手段４０５の処理により、端末装置通信手段４０１を介して受信し記憶部に記憶された属性情報等に基づいて利用者の行動範囲の予測を開始する。ここで、属性情報は、予め広告挿入装置４００の記憶部に記憶されていてもよい。
【００９２】
そして、端末装置１００は、コンテンツ処理手段１０２の処理により、通信手段１０１を介してコンテンツ格納装置３００に対しコンテンツ要求を送信する（Ｓ６０２）。
【００９３】
そして、コンテンツ格納装置３００は、コンテンツ選択手段３０２の処理により、通信手段３０１を介して受信したコンテンツ要求に応じて、コンテンツ蓄積手段３０３に格納されたコンテンツを選択し、通信手段３０１を介して端末装置１００に配信する（Ｓ６０３）。
【００９４】
そして、端末装置１００は、コンテンツ処理手段１０２の処理により、通信手段１０１を介して広告挿入装置４００に対し広告要求を送信する（Ｓ６０４）。ここで、端末装置１００は、位置検出手段１０４の処理により検出された利用者の位置情報を広告要求とともに広告挿入装置４００に送信する。
【００９５】
端末装置通信手段４０１を介して広告要求を受信すると、広告挿入装置４００は、端末装置１００から送信された位置情報を行動範囲の起点として特定し、行動範囲予測手段４０５の処理により予測した行動範囲に基づいて、広告要求手段４０３の処理により、広告格納装置通信手段４０２を介して広告格納装置２００に対して広告要求を送信する（Ｓ６０５）。ここで、端末装置１００と通信を開始してから広告格納装置２００に広告要求を送信するまでの処理（行動範囲起点特定処理、行動範囲予測処理、店舗情報抽出処理、店舗評点算出処理、および、広告要求処理（以下、「広告選択処理」と呼ぶ））の詳細については、後述する。
【００９６】
通信手段２０１を介して広告要求を受信すると、広告格納装置２００は、広告選択手段２０２の処理により、広告要求に基づいて広告蓄積手段２０３から広告情報を選択し、通信手段２０１を介して広告挿入装置４００に送信する（Ｓ６０６）。
【００９７】
そして、広告挿入装置４００は、広告送信手段４０４の処理により、広告格納装置通信手段４０２を介して受信した広告情報を、端末装置通信手段４０１を介して端末装置１００に送信する（Ｓ６０７）。
【００９８】
そして、端末装置１００は、コンテンツ処理手段１０２の処理により、コンテンツ格納装置３００から受信したコンテンツ情報に基づく画面上に、広告挿入装置４００から受信した広告情報が表示されるよう処理する。以上が、実施の形態１における各装置間の処理の一例である。
【００９９】
次に、実施の形態１にかかる広告挿入装置４００における広告挿入処理の詳細について説明する。ここで、図７は、実施の形態１にかかる広告挿入装置４００における処理の一例を示す図である。
【０１００】
まず、利用者Ａの端末装置１００との通信が開始されると（Ｓ７０１）、端末装置通信手段４０１は、端末装置１００から利用者Ａの属性情報を受信し記憶部に格納する（Ｓ７０２）。ここで、各利用者の属性情報は、予め記憶部に記憶されていてもよい。
【０１０１】
そして、行動範囲予測手段４０５は、端末装置１００から広告要求があるか否かを判断し（Ｓ７０３）、広告要求がない場合は（Ｓ７０３、Ｎｏ）待機し、端末装置通信手段４０１を介して広告要求を受信した場合は（Ｓ７０３、Ｙｅｓ）、広告要求に付加された利用者Ａの現在位置情報を受信する（Ｓ７０４）。
【０１０２】
そして、行動範囲予測手段４０５は、受信した利用者Ａの現在の位置情報を起点として特定し、予測した行動範囲とに基づいて、当該行動範囲内の店舗の店舗情報を記憶部から抽出し、抽出した店舗情報の店舗毎に算出した評点に基づき店舗を選択する（Ｓ７０５）。ここで、広告選択処理の詳細については、後述する。
【０１０３】
そして、広告要求手段４０３は、広告格納装置通信手段４０２の処理により、広告格納装置２００に選択した店舗にかかる広告情報を送信するよう制御する広告要求を送信する（Ｓ７０６）。
【０１０４】
そして、広告格納装置通信手段４０２は、広告格納装置２００から、広告要求に基づき送信された広告情報を受信する（Ｓ７０７）。
【０１０５】
そして、広告送信手段４０４は、端末装置通信手段４０１の処理により、受信した広告情報を端末装置１００に送信するよう制御する（Ｓ７０８）。
【０１０６】
そして、端末装置通信手段４０１は、端末装置１００から通信を終了するよう制御する通信終了要求があるか否かを判断し（Ｓ７０９）、通信終了要求がない場合は（Ｓ７０９、Ｎｏ）、Ｓ７０３に戻って、新たな広告要求があるか否かを判断する。
【０１０７】
一方、端末装置通信手段４０１が通信終了要求を受信すると（Ｓ７０９）、広告挿入装置４００は、利用者Ａの端末装置１００との通信を終了する（Ｓ７１０）。以上で、実施の形態１にかかる広告挿入装置４００における処理が終了する。
［広告選択処理］
次に、本発明が適用される実施の形態における広告選択処理（行動範囲起点特定処理、行動範囲予測処理、店舗情報抽出処理、店舗評点算出処理、および、広告要求処理。）の詳細について図８〜図１３を参照して説明する。図８は、本発明が適用される実施の形態における行動範囲予測手段の行動範囲予測処理の一例を示すフローチャートである。図８において、直列的なフローは、基本フローを表し、分岐した実線の矩形はより詳しい説明を示し、分岐した破線の矩形は各実施のパターンを示す。なお、本広告選択処理の説明においては、一例として実施の形態１における処理として説明するが、これに限られず、各実施の形態における対応する手段に同様の処理を実行させることができる。
【０１０８】
図８に示す基本フローにおいて、まず、行動範囲予測手段４０５は、端末装置１００から送信された位置情報を受信して、行動範囲の起点となる利用者の現在地を特定する（Ｓ８１０）。すなわち、行動範囲予測手段４０５は、位置検出手段１０４により検出された利用者の現在位置を起点として特定する（Ｓ８１１）。
【０１０９】
次に、行動範囲予測手段４０５は、起点を中心とした行動範囲内の店舗を抽出する（Ｓ８２０）。すなわち、行動範囲予測手段４０５は、受信した利用者の属性情報を記憶部に記憶し、属性情報に基づいて、利用者の行動範囲を予測し、予測した行動範囲と特定した起点とに基づいて、当該行動範囲内に属する店舗の店舗情報を記憶部から抽出する（Ｓ８２１）。ここで、属性情報は、端末装置１００から受信してもよい。
【０１１０】
そして、行動範囲予測手段４０５は、抽出された店舗情報の店舗毎に、利用者の位置情報および／または属性情報と、記憶部に記憶された当該店舗の店舗情報と、に基づいて評点を算出する（Ｓ８３０〜Ｓ８５０）。具体的には、例えば、広告枠と店舗属性の一致性を考慮して、評点を算出する（Ｓ８４１）。ここで、行動範囲予測手段４０５は、行動範囲起点から当該店舗位置に至る経路探索を行い、その経路を評価の対象としてもよい（Ｓ８４４）。
【０１１１】
そして、行動範囲予測手段４０５は、算出された評点に基づき広告対象店舗を選択する（Ｓ８６０）。
【０１１２】
そして、広告要求手段４０３は、選択された店舗の広告情報が挿入されるよう制御する（Ｓ８７０）。具体的には、広告要求手段４０３は、選択した店舗にかかる広告情報を送信するよう広告格納装置２００を制御する広告要求を、広告格納装置通信手段４０２を介して広告格納装置２００に送信する。
【０１１３】
以上が、基本フローの説明である。次に、基本フローの各処理において、とりうる実施のパターンについて説明する。
【０１１４】
（１）生活パターン連動
Ｓ８１０において、行動範囲予測手段４０５は、利用者の位置情報を、曜日毎および／または時間帯毎に記憶部に記憶して当該利用者の生活パターン情報を作成し、記憶部に記憶された生活パターン情報に基づいて行動範囲の起点を変更してもよい（Ｓ８１２）。具体的には、行動範囲予測手段４０５は、生活パターンを学習して、生活パターンデータベースを作成し、生活パターンデータベースに基づいて現在時刻情報と対応する生活パターン情報を取得し、行動範囲起点をオフセットする。ここで、図９は、生活パターンデータベースに格納された生活パターン情報の一例を模式的に表す図である。
【０１１５】
図９に示すように、行動範囲予測手段４０５は、曜日や時間帯毎に過去に受信した利用者の位置データを記憶部に記憶する。例えば、図９左図は、水曜日の１８：００〜２０：００までの時間帯で保存された位置データであり、会社と繁華街を通って帰宅する生活パターンが示されている。また、図９中央図は、月曜日の７：００〜９：００までの時間帯で保存された位置データであり、自宅から会社にかけて分布する生活パターンが示されている。また、図９右図は、木曜日１９：００〜２１：００までの時間帯で保存された位置データであり、英会話学校に主に分布する生活パターンであることが示されている。
【０１１６】
行動範囲予測手段４０５は、このように記憶部に作成したデータベースを用いて、利用者の行動範囲を推定し、例えば、過去の行動した地点から半径５００ｍ以内に行動範囲を設定するよう制御する。すなわち、過去の生活パターンに基づき、近い将来の利用者の移動先を起点とすることで、利用者がより容易に到達しやすい店舗を選択できる。
【０１１７】
（２）場所属性連動
Ｓ８２０において、行動範囲予測手段４０５は、利用者の位置情報（例えば、現在地）に対する記憶部に記憶された当該利用者の属性情報に基づいて、行動範囲を重み付けして予測してもよい（Ｓ８２２）。ここで、行動範囲予測手段４０５は、受信され記憶部に格納された利用者の属性情報の年齢や職業等の属性情報を記憶部に記憶し、属性情報に基づいて、行動範囲を重み付けして予測してもよい。
【０１１８】
ここで、図１０は、利用者の位置情報と利用者の属性情報とを関連付けて重み付けする重み付けテーブルの一例を示す図である。ここで、利用者の属性情報は、予め記憶部に記憶されていてもよく、また、端末装置１００から受信してもよい。
【０１１９】
図１０に示すように、例えば、位置情報が利用者が家の近くにいることを示し、利用者の属性情報が社会人であれば、車等があるので行動範囲を大きく設定する（例えば、２．００倍の重み付け。）。また、利用者の位置情報が学校の近くであることを示し、利用者の属性情報が小学生であることを示していれば、徒歩のみなので行動範囲を小さく設定する（例えば、０．５０倍の重み付け。）。また、利用者の位置情報が駅の近くを示し、利用者の属性情報が大学生を示していれば、交通手段が多彩であるので行動範囲を大きく設定する（例えば、５．００倍の重み付け。）。
【０１２０】
このように、位置情報（例えば、現在位置）に応じた利用者の属性情報に基づいて移動手段等を考慮して重み付けすることで、利用者がより容易に到達しやすい店舗を選択することができる。
【０１２１】
（３）複数端末連動
Ｓ８２０において、行動範囲予測手段４０５は、利用者の位置情報に対する他の利用者の位置情報に基づいて、行動範囲を重み付けして予測してもよい（Ｓ８２３）。例えば、行動範囲予測手段４０５は、複数の利用者の端末装置１００を、グループとして紐付けて、近くにある場合に行動範囲を変更する。ここで、図１１は、複数の利用者のグループを紐付けする処理の一例を示すフローチャートである。
【０１２２】
図１１に示すように、行動範囲予測手段４０５は、グループを構成する複数の利用者の端末装置１００を選定する（Ｓ１１０１）。具体的には、例えば、利用者に端末装置１００を介してグループを設定させるよう制御することにより実現する。そして、行動範囲予測手段４０５は、設定されたグループの利用者の識別番号等（以下のユーザＩＤ「Ｘ００」など）を登録する。以下に、設定された加入グループの例を示す。
＜加入グループ例＞
ユーザＸ０３加入グループ
０ｘ００１＜家族＞
端末  Ｘ００：父
端末  Ｘ０１：母
端末    Ｘ０２：姉
ユーザＸ０３加入グループ
０ｘ１００＜友達＞
端末  Ｙ００
端末  Ｙ０１
ユーザＸ０３加入グループ
０ｘ２０１＜彼女＞
端末  Ｚ００
そして、行動範囲予測手段４０５は、利用者の位置情報と、同じグループの他の利用者の位置情報を取得して端末場所を推定する（Ｓ１１０２）。すなわち、利用者識別番号であるユーザＩＤと、位置情報とが対応付けて取得し、一の利用者とグループとして紐付けされた他の利用者の端末装置１００を検索する。
【０１２３】
そして、行動範囲予測手段４０５は、近傍にいる利用者の属性情報を取得して、比較することにより行動範囲を重み付けして予測する（Ｓ１１０３）。例えば、グループ端末が半径１ｍ以内の近傍に存在している場合、記憶部に記憶された、一の利用者の属性情報と近傍端末にかかる他の利用者の属性情報とを比較し、移動測定距離（行動範囲）を再計算する。例えば、近傍端末の利用者属性が親である場合、親の移動距離（行動範囲）に変換し、近傍端末の利用者属性が友達やカップルである場合、行動範囲を５０％アップさせる処理を行う。一方、近傍端末の利用者属性が子である場合等は、行動範囲を変化しないよう設定してもよい。
【０１２４】
このように、例えば、家族同士で端末装置１００を予め紐付けしておき、親が近くにいる場合は子の行動範囲を親に合わせて広げ、カップルなら少し遠くてもレストランや映画館が行動範囲に入るように設定するなど、複数端末の連動によって行動範囲を広い方に合わせるなどするので、店舗選択の選択幅を広げることができる。
【０１２５】
（４）健康状態連動
Ｓ８２０において、行動範囲予測手段４０５は、利用者の内部環境の属性情報として記憶部に記憶された健康状態情報に基づいて、行動範囲を重み付けして予測してもよい（Ｓ８２４）。ここで、図１２は、利用者の健康状態情報に基づいて重み付けする重み付けテーブルの例を示す図である。
【０１２６】
図１２の＜健康状態テーブルの例１＞に示すように、利用者が万歩計（登録商標）を携帯している場合等により歩数情報を得られる場合は、歩数情報（例えば、１日単位）に基づいて移動可能距離（行動範囲）を重み付けして予測してもよい。例えば、毎日３０００歩以内しか歩いていない人は、１．０ｋｍ以内、毎日１００００歩以上歩いている人は、４．０ｋｍ以内と設定してもよい。ここで、広告挿入装置１００は、端末装置１００から健康状態情報を取得するよう構成してもよい。
【０１２７】
また、図１２の＜健康状態テーブルの例２＞に示すように、利用者に血圧情報を入力させるよう制御する等により血圧情報が得られる場合は、血圧情報に基づいて行動範囲を重み付けして予測してもよい。例えば、高血圧の人は少し狭く設定し（例えば、１ｋｍ以内。）、正常値の人は広く設定する（例えば、４ｋｍ以内。）。
【０１２８】
これにより、健康状態を考慮することで利用者に無理を強いることなく、容易に到達しやすい店舗を選択することができる。
【０１２９】
（５）店舗状況連動
Ｓ８４０において、行動範囲予測手段４０５は、後述の店舗情報管理装置等から取得した店舗の店舗状況情報に基づいて、当該店舗の評点を算出してもよい（Ｓ８４２）。すなわち、行動範囲予測手段４０５は、店の混雑状態や時間帯等の店舗状況によって誘導内容を変更するよう制御する。
【０１３０】
例えば、登録済みの混雑時間帯などにより、現在がお昼時には客で混雑する店は、おやつや夕食に誘導するよう、現在時刻においては評点を低く設定する。
【０１３１】
これにより、店舗側の都合の良い時間に来店を促すことで、広告としての価値を高め、また、利用者にとっては、リアルタイムの混雑情報により、混雑時を避けることができる。
【０１３２】
（６）行動履歴連動
Ｓ８４０において、行動範囲予測手段４０５は、利用者の位置情報を行動履歴情報として記憶部に記憶し、記憶部に記憶された店舗の属性情報に対する、記憶部に記憶された利用者の行動履歴情報に基づいて、当該店舗の評点を算出してもよい（Ｓ８４３）。例えば、行動範囲予測手段４０５は、曜日・天気・時間帯ごとの行動履歴を統計的手法に基づいて処理し、店舗の選択処理に反映する。
【０１３３】
すなわち、行動範囲予測手段４０５は、利用者の行動履歴と店舗の属性情報の対比により、評点を算出する。例えば、未訪問店舗であれば評点を高く算出し、繰り返し訪問している店舗であれば、評点を高く（新たな需要喚起のためには低く）設定し、前回の店舗訪問から期間が空いていれば、評点を高く設定する。例えば、行動履歴情報により、先週ボーリングに行ったことが示されていれば、店舗属性がボーリング場である店舗の重みをゼロに設定し、行動履歴情報により、先月レンタルビデオ屋に行ったが今月未だ行ってない場合は、店舗属性がレンタルビデオ屋である店舗の重みを向上させる等の処理を行う。
【０１３４】
このように、利用者の行動履歴を反映することで、来店意欲の沸きやすい店舗を優先的に選択することができる。
【０１３５】
（７）天気予報連動
Ｓ８４０において、行動範囲予測手段４０５は、起点から店舗までの経路を探索し、探索した経路を記憶部に記憶された天候状況情報に基づいて重み付けし、重み付けされた経路に基づいて、当該店舗の評点を算出してもよい（Ｓ８４５）。ここで、天候状況情報は、ネットワークを介して他の装置から取得してもよい。
【０１３６】
例えば、雨が降っているので濡れなくて済む道を誘導するために、天気と経路とを評点に反映させることで、利用者が無理なく来店できる店舗を優先的に選択することができる。
【０１３７】
また、各店舗への経路上にて屋外を徒歩で移動する区間があれば、天気情報に従って所定の重み付け加算を行う。具体例としては、天候状況情報が雨を示していれば、徒歩移動区間距離に３．０倍を重み付けする。
【０１３８】
このように、移動可能範囲を地域の天気予報と連動して変化させることで、利用者が無理なく来店可能な店舗の広告を提示することができる。
【０１３９】
（８）移動手段連動
Ｓ８４０において、行動範囲予測手段４０５は、起点から店舗までの経路を探索し、利用者の位置情報に基づいて移動手段を推定し、推定した移動手段に基づいて経路を重み付けし、重み付けされた経路に基づいて、当該店舗の評点を算出してもよい（Ｓ８４６）。すなわち、行動範囲予測手段４０５は、利用者がどの機関での移動中であるか推定し、評点または行動範囲を切り替えてもよい。例えば、電車に乗っているのでこの経路上の店舗を高く評価し、車の中なので寄りやすい街道沿いの店舗を高く評価し、旅行中なので見所の周りにある店舗を高く評価する。ここで、図１４は、起点から店舗までの経路を探索し、利用者の位置情報に基づいて移動手段を推定し、推定した移動手段に基づいて経路を重み付けする処理の一例を示すフローチャートである。
【０１４０】
図１４に示すように、まず、行動範囲予測手段４０５は、利用者の位置情報に基づいて移動手段を推定する（Ｓ１４０１）。例えば、利用者の位置情報に基づき現在位置の属性（鉄道駅，道路，海上など）情報と、移動速度とに基づいて、移動手段（電車，自動車，船舶，近距離／長距離）を推定する。ここで、現在地の属性情報は、記憶部に記憶された地図データベースから取得してもよい。
【０１４１】
そして、行動範囲予測手段４０５は、取得した属性と広告情報の位置情報から、推定した移動手段の蓋然性により重みづけを行う（Ｓ１４０２）。例えば、移動手段を電車と推定した場合は、鉄道駅周辺の店舗を高く評価し、更に路線識別を行った場合は、路線駅周辺の店舗を更に高く評価し、また移動方向を識別した場合は、移動先駅周辺の店舗を反対側方向の店舗より高く評価する。また、移動手段を車などの車両と推定した場合は、幹線道路周辺の店舗を高く評価し、移動手段を徒歩と推定した場合は、現在位置からの距離に基づき評価するよう重み付けする。
【０１４２】
そして、行動範囲予測手段４０５は、移動情報に基づいて、現在の利用者の行動種別を推定する（Ｓ１４０３）。例えば、位置情報より、過去１カ月以内に移動履歴の無い遠隔地である場合は、旅行・帰省中であると推定し、毎日通過する場所である場合は、通勤・通学・業務中であると推定し、自宅・勤務先近隣の繁華街である場合は、その場所に滞在しているものと推定する。
【０１４３】
そして、利用者の推定行動種別と、広告情報の場所種別情報の相関による重みづけを行う（Ｓ１４０４）。例えば、旅行中である場合は、観光地周辺や、みやげもの店や、（高単価）飲食店や、観光地等とのタイアップ属性（千葉鼠園とネズミーストアなど）に基づいて重み付けする。また、通勤中である場合は、（低単価）飲食店や、コンビニや、スーパー等の店舗属性を有する店舗を高く重み付けする。また、繁華街に滞在している場合は、飲み屋や、アミューズメント施設や、サラ金の店舗属性を有する店舗を高く重み付けする。
【０１４４】
このように、利用者の移動手段を考慮することによって、より適切な店舗評価を行うことや店舗選択の選択幅を広げることができる。
【０１４５】
以上が、本発明が適用される実施の形態１における広告選択処理の詳細についての説明である。
【０１４６】
（９）移動時間連動
Ｓ８４４において、行動範囲予測手段４０５は、起点から店舗までの経路を記憶部に記憶された地図データベース等に基づいて探索し、探索した経路に基づいて、当該店舗の評点を変更してもよい（Ｓ８４７）。
【０１４７】
例えば、行動範囲予測手段４０５は、利用者の経路に対する移動時間を推定し、移動時間に基づいて当該店舗の評点を算出する。具体例として、移動にかかる時間に合わせて、歩くのが早い人には、遠くの店舗でも評点を高く算出し、坂道などで時間がかかる場合は、到達困難であるので、店舗の評点を低く算出する。
【０１４８】
ここで、行動範囲予測手段４０５は、探索した経路の移動距離および／または勾配に基づいて、評点を算出してもよい。すなわち、移動時間は、移動距離および／または勾配に依存すると考え、移動距離および／または勾配に基づいて評点を算出する。ここで、図１３は、経路情報における移動距離と標高差を算出する際の処理の一例を模式的に示すグラフである。図１３において、横軸は移動距離を示し、縦軸は標高を示している。
【０１４９】
図１３に示すように、行動範囲予測手段４０５は、利用者がグラフの左から右に移動した場合は、標高差に基づき上り勾配と移動距離を算出し、右から左に移動した場合は、標高差に基づき下り勾配と移動距離を算出する。
【０１５０】
そして、行動範囲予測手段４０５は、算出した移動距離と標高差（または、勾配）に基づいて、例えば以下の式に基づき評点を算出する。
評点  ＝  ｇ（移動距離×ｆ（標高差））
（ここで、ｆ，ｇ（値）は値に対する関数値を指す。）
このように、利用者毎の経路上の移動速度の違い等を考慮することで、無理なく来店できる店舗を優先的に選択することができる。
【０１５１】
（実施の形態２）
実施の形態１においては、行動範囲特定処理および行動範囲予測処理は広告挿入装置４００において実行されるよう構成したが、実施の形態２として、これらを端末装置１００において実行されるよう構成してもよい。以下に、本実施の形態２におけるコンテンツ配信システムの構成について説明する。図１５は、本発明が適用される本実施の形態２における本コンテンツ配信システムの構成の一例を示すブロック図である。図１５において、符号１０５は、行動範囲予測手段であり、符号１０５以外は、実施の形態１において図５を用いて説明したので符号の説明を省略する。
【０１５２】
図１５に示すように、実施の形態１と異なり、行動範囲予測手段は、端末装置１００における行動範囲予測手段１０５として構成される。
【０１５３】
すなわち、実施の形態２においては、行動範囲予測手段１０５は、位置検出手段１０４により検出された位置情報に基づいて、行動範囲の起点となる利用者の現在地を特定し、広告挿入装置４００に送信する行動範囲起点特定手段と、利用者の属性情報を記憶部に記憶し、属性情報に基づいて、利用者の行動範囲を予測し、広告挿入装置４００に送信する行動範囲予測手段として機能する。
【０１５４】
また、本実施の形態２においては、広告要求手段４０３は、広告情報にかかる店舗の店舗情報を記憶部に記憶し、端末装置１００から送信された起点と行動範囲とに基づいて、当該行動範囲内に属する店舗の店舗情報を記憶部から抽出する店舗情報抽出手段と、店舗情報抽出手段により抽出された店舗情報の店舗毎に、当該店舗に対する利用者に関する評点を算出する店舗評点算出手段と、店舗評点算出手段によって算出された評点に基づいて店舗を選択し、選択した店舗にかかる広告情報を送信するよう広告格納装置２００に要求する広告要求手段として機能する。その他の構成および処理は、実施の形態１と同様であるので説明を省略する。
【０１５５】
（実施の形態３）
実施の形態３にかかる構成および処理について、以下に図１６〜図２３を参照して説明する。すなわち、本実施の形態３においては、利用者の来店や購入などの利用情報の行動履歴に基づき、コンテンツに対しフィードバック処理を行う。
【０１５６】
まず、本実施の形態３におけるコンテンツ配信システムの構成について説明する。図１６は、本発明が適用される本実施の形態３における本コンテンツ配信システムの構成の一例を示すブロック図である。図１６において、符号１００は、端末装置であり、符号２００は、広告格納装置であり、符号３００は、コンテンツ格納装置であり、符号４００は、広告挿入装置であり、符号５００は、店舗情報管理装置である。
【０１５７】
図１６に示すように、実施の形態３にかかるコンテンツ配信システムは、概略的に、概略的に、コンテンツ情報を格納し送信するコンテンツ格納装置３００と、広告情報を格納する２００に接続され広告情報を送信する広告挿入装置４００と、コンテンツ情報および広告情報を受信して表示する端末装置１００と、小売店端末等に接続された店舗情報管理装置５００と、をネットワーク（通信ネットワークや携帯電話ネットワークやこれらを繋ぐ配信装置を含む。）を介して通信可能に接続して構成されている。なお、店舗情報管理装置５００の一部機能は、図１６において示す位置管理装置（集中管理サーバ等）において実現されてもよい。
【０１５８】
ここで、広告格納装置２００やコンテンツ格納装置３００や広告挿入装置４００や店舗情報管理装置５００や配信装置等は、ＷＥＢサーバやＡＳＰサーバ等として構成していてもよく、そのハードウェア構成は、一般に市販されるワークステーション、パーソナルコンピュータ等の情報処理装置およびその付属装置により構成していてもよい。また、これら装置における各機能は、ハードウェア構成中のＣＰＵ、ディスク装置、メモリ装置、入力装置、出力装置、通信制御装置等およびそれらを制御するプログラム等により実現される。ここで、図１７は、実施の形態３のコンテンツ配信システムにおける各装置の構成の一例を示すブロック図であり、該構成のうち本発明に関係する部分のみを概念的に示している。図１７において、広告挿入装置４００における、符号４０６は、店舗情報管理装置通信手段であり、符号４０７は、シナリオ要求手段であり、符号４０８は、コンテンツ格納装置通信手段であり、店舗情報管理装置５００における、符号５０１は、通信手段であり、符号５０２は、利用者情報記録手段である。これら以外は、実施の形態１において図５を用いて説明したものと同様であるので説明を省略する（以下、主に実施の形態１と異なる構成について説明する。）。
【０１５９】
図１７に示すように、広告挿入装置４００は、概略的に、端末装置１００と通信する端末装置通信手段４０１と、広告格納装置２００と通信する広告格納装置通信手段４０２と、広告挿入装置４００に広告選択処理を行い広告を要求する広告要求手段４０３と、広告格納装置２００から受信した広告情報を送信する広告送信手段４０４と、店舗情報管理装置５００と通信する店舗情報管理装置通信手段４０６と、シナリオを要求するシナリオ要求手段４０７と、コンテンツ格納装置３００と通信するコンテンツ格納装置通信手段４０８と、各手段からアクセス可能な記憶部を備えて構成される。
【０１６０】
すなわち、広告挿入装置４００において、広告要求手段４０３は、端末装置１００から送信された位置情報を受信して、行動範囲の起点となる利用者の現在地を特定する行動範囲起点特定手段と、利用者の属性情報を記憶部に記憶し、属性情報に基づいて、利用者の行動範囲を予測する行動範囲予測手段と、広告情報にかかる店舗の店舗情報を記憶部に記憶し、行動起点特定手段により特定された行動範囲の起点と、行動範囲予測手段により予測された行動範囲と、に基づいて、当該行動範囲内に属する店舗の店舗情報を記憶部から抽出する店舗情報抽出手段と、店舗情報抽出手段により抽出された店舗情報の店舗毎に、利用者の位置情報および／または属性情報と、当該店舗の店舗情報と、に基づいて評点を算出する店舗評点算出手段と、店舗評点算出手段により算出された評点に基づいて店舗を選択し、選択した店舗にかかる広告情報を送信するよう広告格納装置２００に要求する広告要求手段として機能する。
【０１６１】
また、広告挿入装置４００において、シナリオ要求手段４０７は、店舗情報管理装置５００から送信された利用情報に基づいて記憶部に記憶されたシナリオの選択肢情報を選択し、選択した選択肢情報にかかるシナリオを利用者の端末装置１００に送信するよう制御するシナリオ送信要求を、コンテンツ格納装置３００へ送信するシナリオ選択手段として機能する。
【０１６２】
図１７において、店舗情報管理装置５００は、広告挿入装置４００と通信する通信手段５０１と、小売店端末から検出された利用者情報を記録する利用者情報記録手段５０２とを備えて構成される。すなわち、店舗情報管理装置５００は、広告情報にかかる店舗を利用者が訪問したこと、または、当該店舗において商品を購入したことを利用者の利用情報として検出し、利用情報を広告挿入装置４００に送信する利用者行動検出手段として機能する。
【０１６３】
次に、このように構成された実施の形態３におけるコンテンツ配信システムの処理の一例について、以下に、図１８を参照して詳細に説明する。図１８は、実施の形態３におけるコンテンツ配信システムの各装置間の処理の一例を示すフローチャートである。また、図２０〜図２３は、利用情報に基づいてコンテンツに対しフィードバック処理が行われた場合の表示画面の一例を示す図である。
【０１６４】
図１８に示すように、まず、端末装置１００は、コンテンツ処理手段１０２の処理により、通信手段１０１を介してコンテンツ格納装置３００に対しコンテンツ要求を送信する（Ｓ１８０１）。
【０１６５】
そして、コンテンツ格納装置３００は、コンテンツ選択手段３０２の処理により、通信手段３０１を介して受信したコンテンツ要求に応じて、コンテンツ蓄積手段３０３に格納されたシナリオａ）にかかるコンテンツを選択し、通信手段３０１を介して端末装置１００に配信する（Ｓ１８０２）。
【０１６６】
そして、端末装置１００は、コンテンツ処理手段１０２の処理により、通信手段１０１を介して広告挿入装置４００に対し広告要求を送信する（Ｓ１８０３）。ここで、端末装置１００は、位置検出手段１０４の処理により検出された利用者の位置情報を広告要求とともに広告挿入装置４００に送信する。
【０１６７】
端末装置通信手段４０１を介して広告要求を受信すると、広告挿入装置４００は、端末装置１００から送信された位置情報を行動範囲の起点として特定し、行動範囲予測手段４０５の処理により予測した行動範囲に基づいて広告選択処理を行い、広告要求手段４０３の処理により、広告格納装置通信手段４０２を介して広告格納装置２００に対して広告要求を送信する（Ｓ１８０４）。
【０１６８】
通信手段２０１を介して広告要求を受信すると、広告格納装置２００は、広告選択手段２０２の処理により、広告要求に基づいて広告蓄積手段２０３から広告を選択し、通信手段２０１を介して広告挿入装置４００に送信する（Ｓ１８０５）。
【０１６９】
そして、広告挿入装置４００は、広告送信手段４０４の処理により、広告格納装置通信手段４０２を介して受信した広告情報を、端末装置通信手段４０１を介して端末装置１００に送信する（Ｓ１８０６）。
【０１７０】
そして、端末装置１００は、コンテンツ処理手段１０２の処理により、コンテンツ格納装置３００から受信したシナリオａ）にかかるコンテンツ情報に基づく画面上に、広告挿入装置４００から受信した広告情報が表示されるよう処理する。例えば、図２０に示すように、表示画面上には、広告情報にかかる店舗Ａ２０００と、シナリオａ）にかかるコンテンツ内容である、人物２００１と、店舗Ａについての広告告知である２００３が表示される。
【０１７１】
つづいて、端末装置１００の利用者が、広告情報にかかる店舗を利用者が訪問、または、店舗において商品を購入したことを検出すると、店舗情報管理装置５００は、通信手段５０１の処理により利用者情報記録手段５０２に記録された利用情報を広告挿入装置４００に送信する（Ｓ１８０７）。ここで、図２１に示すように、利用者に現在位置情報を送信するよう制御する表示画面２０１０を表示してもよい。
【０１７２】
そして、広告挿入装置４００は、店舗情報管理装置５００から送信された利用情報に基づいて記憶部に記憶されたシナリオの選択肢情報を選択し（例えば、選択肢情報ｂ））、選択した選択肢情報ｂ）にかかるシナリオｂ）を利用者の端末装置１００に送信するよう制御するシナリオ送信要求を、コンテンツ格納装置３００へ送信する（Ｓ１８０８）。
【０１７３】
そして、端末装置１００は、利用者にシナリオを進行させるよう制御し、画面要求をコンテンツ格納装置３００へ送信する（Ｓ１８０９）。すなわち、図２２に示すように、例えば、利用者にシナリオｂ）に進むか否かを制御する画面２０２０を表示し、「はい」が選択された場合に、シナリオｂ）にかかるコンテンツの画面要求を送信する。
【０１７４】
そして、コンテンツ格納装置３００は、受信したシナリオ送信要求に基づいて、シナリオｂ）にかかるコンテンツを端末装置１００へ送信する（Ｓ１８１０）。
【０１７５】
そして、端末装置１００は、コンテンツ処理手段１０２の処理により、コンテンツ格納装置３００から受信したシナリオｂ）にかかるコンテンツ情報が表示されるよう処理する。シナリオｂ）にかかるコンテンツを表示する。ここで、端末装置１００は、図２３に示すように、購入内容等に基づいて、アイテム２０３０を増やし、告知表示２０３１してもよい。以上が、実施の形態３における各装置間の処理の一例である。
【０１７６】
次に、実施の形態３にかかる広告挿入装置４００における広告選択処理の詳細について説明する。ここで、図１９は、実施の形態３にかかる広告挿入装置４００における処理の一例を示す図である。
【０１７７】
図１９に示すように、まず、利用者Ａの端末装置１００との通信が開始されると（Ｓ１９０１）、広告要求手段４０３は、端末装置１００から広告要求があるか否かを判断し（Ｓ１９０２）、広告要求がない場合は（Ｓ１９０２、Ｎｏ）待機し、端末装置通信手段４０１を介して広告要求を受信した場合は（Ｓ１９０２、Ｙｅｓ）、広告要求に付加された利用者Ａの現在位置情報を受信する（Ｓ１９０３）。
【０１７８】
そして、広告要求手段４０３は、受信した利用者Ａの現在の位置情報を起点として特定し、予測した行動範囲とに基づいて、当該行動範囲内の店舗の店舗情報を記憶部から抽出し、抽出した店舗情報の店舗毎に算出した評点に基づき店舗を選択する（Ｓ１９０４）。
【０１７９】
そして、広告要求手段４０３は、広告格納装置通信手段４０２の処理により、広告格納装置２００に選択した店舗にかかる広告情報を送信するよう制御する広告要求を送信する（Ｓ１９０５）。
【０１８０】
そして、広告格納装置通信手段４０２は、広告格納装置２００から、広告要求に基づき送信された広告情報を受信する（Ｓ１９０６）。
【０１８１】
そして、広告送信手段４０４は、端末装置通信手段４０１の処理により、受信した広告情報を端末装置１００に送信するよう制御する（Ｓ１９０７）。
【０１８２】
そして、シナリオ要求手段４０７は、店舗情報管理装置通信手段４０６を介して、店舗情報管理装置５００から受信した利用情報があるか否かを判断し（Ｓ１９０８）、利用情報がある場合は（Ｓ１９０８、Ｙｅｓ）、利用情報に基づいて記憶部に記憶されたシナリオの選択肢情報を選択し、選択した選択肢情報にかかるシナリオを利用者の端末装置１００に送信するよう制御するシナリオ送信要求を、コンテンツ格納装置３００へ送信する（Ｓ１９０９）。利用情報がない場合は（Ｓ１９０８、Ｎｏ）、上記処理を行わず次の処理を実行する。
【０１８３】
そして、端末装置通信手段４０１は、端末装置１００から通信を終了するよう制御する通信終了要求があるか否かを判断し（Ｓ１９１０）、通信終了要求がない場合は（Ｓ１９１０、Ｎｏ）、Ｓ１９０２に戻って、新たな広告要求があるか否かを判断する。
【０１８４】
一方、端末装置通信手段４０１が通信終了要求を受信すると（Ｓ１９１０、Ｙｅｓ）、広告挿入装置４００は、利用者Ａの端末装置１００との通信を終了する（Ｓ１９１１）。以上で、実施の形態３にかかる広告挿入装置４００における処理が終了する。
【０１８５】
（実施の形態４）
実施の形態４にかかる構成および処理について、以下に図２４および図２５を参照して説明する。すなわち、本実施の形態４においては、より適切な広告選択を行うため、コンテンツシナリオへの最適化を図る。
【０１８６】
本実施の形態４におけるコンテンツ配信システムの構成は、実施の形態３において図１６を用いて説明したものと同様であるので説明を省略する。ここで、図２４は、実施の形態４のコンテンツ配信システムにおける各装置の構成の一例を示すブロック図であり、該構成のうち本発明に関係する部分のみを概念的に示している。図２４において、広告挿入装置４００における、符号４０９は、コンテンツ解析手段であり、これ以外は、実施の形態３において図１７を用いて説明したものと同様であるので説明を省略する（以下、主に、実施の形態３と異なる構成について説明する。）。
【０１８７】
図２４に示すように、広告挿入装置４００は、概略的に、端末装置１００と通信する端末装置通信手段４０１と、広告格納装置２００と通信する広告格納装置通信手段４０２と、広告選択処理を行い広告情報を広告格納装置２００に要求する広告要求手段４０３と、広告格納装置２００から受信した広告を送信する広告送信手段４０４と、店舗情報管理装置５００と通信する店舗情報管理装置通信手段４０６と、シナリオを要求するシナリオ要求手段４０７と、コンテンツ格納装置３００と通信するコンテンツ格納装置通信手段４０８と、コンテンツを解析するコンテンツ解析手段４０９と、各手段からアクセス可能な記憶部と、を備えて構成される。
【０１８８】
すなわち、コンテンツ解析手段４０９が、コンテンツ格納装置３００から端末装置１００に送信されたコンテンツ情報を解析するコンテンツ解析手段である部分が、実施の形態３の構成と異なる部分である。
【０１８９】
次に、このように構成された実施の形態４におけるコンテンツ配信システムの処理の一例について、以下に、図２５を参照して詳細に説明する。図２５は、実施の形態４におけるコンテンツ配信システムの各装置間の処理の一例を示すフローチャートである。
【０１９０】
図２５に示すように、Ｓ２５０１〜Ｓ２５０３の処理は、実施の形態３で説明したＳ１８０１〜Ｓ１８０３の処理と同様であるので、説明を省略する。
【０１９１】
次に、端末装置１００は、コンテンツ処理手段１０２の処理により、コンテンツ情報（またはコンテンツ識別子）を広告挿入装置４００に送信する（Ｓ２５０４）。
【０１９２】
そして、広告挿入装置４００は、コンテンツ解析手段４０９の処理により、受信したコンテンツ情報を解析し、広告要求手段４０３の処理により、コンテンツにかかるシナリオに適切な広告情報を選択する。これ以降のＳ２５０５〜Ｓ２５１１の処理は、実施の形態３で説明したＳ１８０４〜Ｓ１８１０の処理と同様であるので、説明を省略する。以上が、実施の形態４における各装置間の処理の一例である。
【０１９３】
（実施の形態５）
実施の形態５にかかる構成および処理について、以下に図２６および図２７を参照して説明する。すなわち、本実施の形態５においては、利用者個人の属性情報により合致した広告選択を行うため、端末装置１００を有する利用者の個人属性情報を記憶部に保持する。
【０１９４】
本実施の形態５におけるコンテンツ配信システムの構成は、実施の形態３において図１６を用いて説明したものと同様であるので説明を省略する。ここで、図２６は、実施の形態５のコンテンツ配信システムにおける各装置の構成の一例を示すブロック図であり、該構成のうち本発明に関係する部分のみを概念的に示している。図２６において、広告挿入装置４００における、符号４１０は、個人属性保持手段であり、これ以外は、実施の形態３において図１７を用いて説明したものと同様であるので説明を省略する（以下、主に、実施の形態３と異なる構成について説明する。）。
【０１９５】
図２６に示すように、広告挿入装置４００は、概略的に、端末装置１００と通信する端末装置通信手段４０１と、広告格納装置２００と通信する広告格納装置通信手段４０２と、広告選択処理を行い広告情報を広告格納装置２００に要求する広告要求手段４０３と、広告格納装置２００から受信した広告を送信する広告送信手段４０４と、店舗情報管理装置５００と通信する店舗情報管理装置通信手段４０６と、シナリオを要求するシナリオ要求手段４０７と、コンテンツ格納装置３００と通信するコンテンツ格納装置通信手段４０８と、個人属性情報を記憶部に保持する個人属性保持手段４１０と、各手段からアクセス可能な記憶部と、を備えて構成される。
【０１９６】
すなわち、個人属性保持手段４１０が、端末装置１００を有する利用者の個人属性情報を記憶部に保持する個人属性保持手段である部分が、実施の形態３の構成と異なる部分である。ここで、実施の形態４にかかる、コンテンツ情報は、外部から情報挿入が可能であるオブジェクトを示す広告挿入オブジェクトを一つ以上含んでもよく、広告挿入オブジェクトは、オブジェクトに挿入するのに適した対象物を示す情報であるオブジェクト種別情報を一つ以上含んでもよい。また、コンテンツ情報は、コンテンツ内のストーリーの選択肢を示す重み付けオブジェクトを一つ以上含み、広告要求手段４０３は、個人属性保持手段４１０により記憶部に保持している個人属性情報や予測した行動範囲と重み付けオブジェクトとを組み合わせて、要求する広告を選択してもよい。また、広告情報は、広告元の業種や要望する客層を示す広告情報識別子を一つ以上含み、広告要求手段４０３は、広告格納装置２００に広告情報識別子に基づいて適切な広告を選択して送信するよう要求する、広告情報識別子を含む広告要求情報を広告格納装置２００に送信してもよい。
【０１９７】
次に、このように構成された実施の形態５におけるコンテンツ配信システムの処理の一例について、以下に、図２７を参照して詳細に説明する。図２７は、実施の形態５におけるコンテンツ配信システムの各装置間の処理の一例を示すフローチャートである。
【０１９８】
まず、図２７に示すように、端末装置１００は、利用者個人の属性情報を記憶部に記録し、記憶部に記憶された個人属性情報を広告挿入装置４００に送信し、個人属性情報を受信した広告挿入装置４００は、個人属性保持手段４１０により個人属性情報を記憶部に保持する（Ｓ２７０１）。ここで、個人属性情報は、予め記憶部に記憶されていてもよい。
【０１９９】
つづくＳ２７０２〜Ｓ２７０４の処理は、実施の形態３で説明したＳ１８０１〜Ｓ１８０３の処理と同様であるので、説明を省略する。
【０２００】
次に、広告要求を受信した広告挿入装置４００は、個人属性保持手段４１０により記憶部に保持された個人属性情報に基づいて、広告選択処理を行い、選択した広告情報を送信するよう制御する広告要求を広告格納装置２００に送信する（Ｓ２７０５）。ここで、広告要求手段４０３は、個人属性保持手段４１０により記憶部に保持された個人属性情報や予測した行動範囲と重み付けオブジェクトとを組み合わせて、要求する広告を選択してもよい。また、広告要求手段４０３は、広告格納装置２００に広告情報識別子に基づいて適切な広告を選択して送信するよう要求する、広告情報識別子を含む広告要求情報を広告格納装置２００に送信してもよい。
【０２０１】
これ以降のＳ２７０６〜Ｓ２７１１の処理は、実施の形態３で説明したＳ１８０５〜Ｓ１８０１０の処理と同様であるので、説明を省略する。以上が、実施の形態５における各装置間の処理の一例である。
【０２０２】
（実施の形態６）
実施の形態６にかかる構成および処理について、以下に図２８を参照して説明する。すなわち、本実施の形態６においては、利用者個人の属性情報により合致した広告選択を行うため、端末装置１００を有する利用者の個人属性情報を記憶部に保持する。
【０２０３】
本実施の形態６におけるコンテンツ配信システムの構成は、実施の形態５において図１６を用いて説明したものと同様であるので説明を省略する。ここで、図２８は、実施の形態６のコンテンツ配信システムにおける各装置の構成の一例を示すブロック図であり、該構成のうち本発明に関係する部分のみを概念的に示している。図２８において、広告格納装置２００における、符号２０４は、広告リスト作成手段であり、これ以外は、実施の形態５において図２６を用いて説明したものと同様であるので説明を省略する（以下、主に、実施の形態５と異なる構成について説明する。）。
【０２０４】
図２８に示すように、広告格納装置２００は、広告格納装置２００は、概略的に、広告を蓄積する広告蓄積手段２０３と、広告蓄積手段２０３から広告挿入装置４００の要求に応じて広告を選択する広告選択手段２０２と、広告挿入装置４００と通信する通信手段２０１と、広告リストを作成する広告リスト作成手段２０４と、を備えて構成される。
【０２０５】
すなわち、広告リスト作成手段２０４が、広告情報識別子に基づいて、広告情報のリストを作成し、広告挿入装置４００に送信する広告リスト作成手段である部分が、実施の形態５の構成と異なる部分である。
【０２０６】
本実施の形態５にかかる処理の特徴を以下に示す。まず、広告リスト作成手段２０４は、広告情報識別子に基づいて、広告情報のリストを作成し、広告挿入装置４００に送信する。
【０２０７】
そして、広告リストを受信した広告挿入装置４００は、広告要求手段４０３の広告選択処理において、送信された広告リストに基づいて、行動範囲内に属する店舗の店舗情報を記憶部から抽出する。以上が、本実施の形態６における処理の特徴である。
［広告選択処理フェーズにおける動作シナリオ］
広告選択処理フェーズにおける動作シナリオについて、以下に図２９を参照して説明する。なお、これらの動作シナリオは、上述した各実施の形態において対応する各装置において実行される。
【０２０８】
まず、広告選択処理フェーズおよび後述するフィードバックフェーズにおいて、扱われるデータ名とその説明を行う。まず、コンテンツデータとは、スクリプト言語や実行形式で記述されたコンテンツ本体のデータであり、オブジェクトＩＤとオブジェクト属性で指定される広告枠を含む。
【０２０９】
オブジェクトＩＤとは、コンテンツ中で広告を挿入可能なオブジェクト（広告枠）に一意に割り当てられたＩＤであり、例えば、“０００５６ｃ”等の識別子や“ｗｗｗ．ｇａｍｅ１＊＊＊．ｃｏｍ／ａａａ／０００１”等のウェブアドレスである。また、オブジェクト属性とは、オブジェクトの属性であり、広告をコンテンツ画面上で表示する場合の位置・サイズ等の情報と、挿入可能な店舗種別を示す店舗属性（後述）を含む。例えば、位置として“＋１５０＋７５ｐｉｘｅｌ”のように規定し、サイズとして”２００×１５０ｐｉｘｅｌ”のように規定する。次に、利用者ＩＤとは、システム内で利用者に一意に割り当てられたＩＤのことであり、例えば“０００３４５”や“ｆｏｏ＠ｂａｒ＊＊＊．ｃｏｍ”等のメールアドレス等である。
【０２１０】
また、利用者属性情報とは、利用者毎の静的な属性情報ことであり、例えば、年齢や、性別や、職業等を含む情報である。一例として、“１２歳  男性  中学生”等を含む。また、移動可能範囲（または、単に移動範囲）とは、利用者属性情報より定まる移動可能範囲に関する情報のことであり、例えば“現在位置から半径５ｋｍ以内”等のように規定される。また、店舗ＩＤとは、システム内で広告対象店舗に一意に割り当てられたＩＤのことであり、“０００１ａｂ”等の識別子や“ｗｗｗ．ｓｈｏｐ１＊＊＊．ｃｏｍ”等のウェブアドレス等である。また、店舗属性とは、広告対象店舗の種類であり、オブジェクトに挿入可能な店舗の選択に用いる情報のことである。例えば、“飲食店”や“ファミリーレストラン”等の属性情報である。
【０２１１】
また、店舗位置とは、広告対象店舗の地理上の位置を示し、例えば、“北緯４５度３０分  東経１３５度３０分”等のように規定される。また、広告内容とは、広告対象店舗のコンテンツ中に提示すべき広告内容のことであり、コンテンツメッセージ中に表示される店舗名称やメッセージ、コンテンツ画面中の広告枠に提示される広告画像（またはそのリンク）等を含む。例えば、名称を表す”ファミリーレストラン＊＊支店”等や、画像を指定する”ｈｔｔｐ：／／ｗｗｗ．ｓｈｏｐ１＊＊＊．ｃｏｍ／ａ．ｐｎｇ”等のリンク先情報等である。また、来店情報とは、広告対象店舗における特定利用者の来店に関する情報のことであり、店舗ＩＤや、利用者ＩＤや、来店履歴等から構成される。また、来店履歴とは、広告対象店舗における特定利用者の来店履歴のことであり、来店日時や、来店行動（来店のみ、特定商品購入、他）等からなる。例えば、来店日時を表す”２００７／４／６  １５：５０”等や来店行動を表す”購入（商品Ｘ）”等を規定する。以上が、データ名とその説明である。なお、ここで、定義したデータ名やデータ名の説明やその例示は、本発明が適用される範囲において任意に変更可能である。次に、広告選択処理フェーズにおける動作シナリオについて説明する。ここで、図２９は、広告選択処理フェーズにおける動作シナリオの流れを模式的に示す図である。
【０２１２】
（１）端末装置１００のコンテンツ処理手段１０２は、図２９に示すように、コンテンツ格納手段からコンテンツ情報を取得し、実行する。
【０２１３】
（２）そして、端末装置１００のコンテンツ処理手段１０２は、コンテンツ中の記述に従い、広告選択手段（例えば、実施の形態１における行動範囲予測手段４０５に相当。）に対して、広告挿入要求を送信する。この際、（Ａ）コンテンツ中に記述された、オブジェクトＩＤと、オブジェクト属性中の店舗属性と、（Ｂ）端末装置１００の識別情報管理手段から取得した利用者ＩＤと、（Ｃ）端末装置１００の位置検出手段１０４から取得した位置情報と、を指定する。
【０２１４】
（３）そして、広告選択手段は、利用者情報格納手段（例えば、実施の形態５における個人属性保持手段４１０に相当。）から、（２）で取得した利用者ＩＤを指定して、利用者属性情報を取得する。
【０２１５】
（４）そして、広告選択手段は、行動範囲推定情報格納手段から、（３）で取得した利用者属性を指定して、移動可能距離を取得する。この移動可能距離と（２）で取得した起点となる位置情報から、この利用者の行動範囲を推定する。
【０２１６】
（５）そして、広告選択手段は、店舗広告情報格納手段から、（２）で取得した店舗属性に合致し、かつ（４）で推定した利用者の行動範囲内に店舗位置が存在する店舗を選択して、その店舗の店舗ＩＤと広告内容を取得する。
【０２１７】
（６）そして、広告選択手段は、（５）で取得した広告内容を端末装置１００のコンテンツ処理手段１０２に送信する。
【０２１８】
（７）そして、コンテンツ処理手段１０２は、（６）で受信した広告内容を、コンテンツ中に記述されたオブジェクト属性中の位置・サイズに従って、利用者に提示する。
【０２１９】
（８）そして、広告選択手段は、行動結果格納手段に、（２）で取得した利用者ＩＤ、オブジェクトＩＤ、（５）で取得した店舗ＩＤを格納する。ここで、広告選択処理フェーズにおけるコンテンツプログラムの記述例について、図３０（前半部分）に示す。図３０は、広告選択処理フェーズおよびフィードバック処理フェーズにおけるコンテンツプログラムの記述例を示す図である。以上が、広告選択処理フェーズにおける動作シナリオの流れである。
［フィードバック処理フェーズにおける動作シナリオ］
次に、フィードバック処理フェーズにおける動作シナリオについて、以下に図３１を参照して説明する。図３１は、フィードバック処理フェーズにおける動作シナリオの流れを模式的に示す図である。
【０２２０】
（１）まず、来店検出手段（実施の形態４における店舗情報管理装置５００に相当。）は、利用者の来店を検出し、広告選択手段へ来店情報（店舗ＩＤ、利用者ＩＤ、来店履歴）を送信する。
【０２２１】
（２）そして、広告選択手段は、選択結果格納手段へ、（１）で受信した来店情報を送信する。選択結果格納手段は、当該利用者ＩＤ、店舗ＩＤを持つレコードに、来店履歴を追加する。
【０２２２】
（３）そして、端末装置１００は、利用者に、予め取得したコンテンツを実行させるよう制御する。
【０２２３】
（４）そして、端末装置１００のコンテンツ処理手段１０２は、コンテンツ中の記述に従い、広告選択手段へ来店履歴要求を送信する。この際、（Ａ）コンテンツ中に記述された、オブジェクトＩＤ、（Ｂ）端末装置１００中の識別情報管理手段から取得した利用者ＩＤを指定する。
【０２２４】
（５）そして、広告選択手段は、選択結果格納手段から、（４）で受信したオブジェクトＩＤ、利用者ＩＤを指定して、来店履歴を取得する。
【０２２５】
（６）そして、広告取得手段は、（５）で取得した来店履歴を、端末装置１００中のコンテンツ処理手段１０２に送信する。
【０２２６】
（７）そして、端末装置１００は、コンテンツに対し、（６）で取得した来店履歴に従い、コンテンツのシナリオを分岐させるよう制御する。ここで、フィードバック処理フェーズにおけるコンテンツプログラムの記述例について、図３０（後半）に示す。以上が、フィードバック処理フェーズにおける動作シナリオの流れである。
【０２２７】
（他の実施の形態）
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０２２８】
特に、上述した実施の形態の画面例においては、コンテンツをゲームに適用した例について説明したが、コンテンツはこれに限られず、映画やテレビ等のコンテンツにおいて、同様に適用することができる。
【０２２９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０２３０】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０２３１】
また、上述の各装置に関して、図示の各構成要素は機能概念的なものであり、必ずしも物理的に図示の如く構成されていることを要しない。
【０２３２】
例えば、各装置が備える処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて各装置に機械的に読み取られる。すなわち、ＲＯＭまたはＨＤなどの記憶部などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０２３３】
また、実施の形態の処理をコンピュータに実行させるコンピュータプログラムは、任意のネットワークを介して接続されたアプリケーションプログラムサーバに記憶されていてもよく、必要に応じてその全部または一部をダウンロードすることも可能である。
【０２３４】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０２３５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２３６】
端末装置１００や広告格納装置２００やコンテンツ格納装置３００や広告挿入装置４００や店舗情報管理装置５００等において蓄積・格納される各種のデータベース等（図示の記憶部や広告蓄積手段２０３やコンテンツ蓄積手段３０３や利用者情報記録手段５０２等）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０２３７】
また、端末装置１００や広告格納装置２００やコンテンツ格納装置３００や広告挿入装置４００や店舗情報管理装置５００等は、既知のパーソナルコンピュータ、ワークステーション等の情報処理装置を接続し、該情報処理装置に本発明の方法を実現させるソフトウェア（プログラム、データ等を含む。）を実装することにより実現してもよい。
【０２３８】
更に、装置の分散・統合の具体的形態は図示するものに限られず、その全部または一部を、各種の負荷等に応じた任意の単位で、機能的または物理的に分散・統合して構成することができる。なお、具体例として、位置情報の検出は端末装置（携帯電話等）で行い、ゲームの実行・広告表示は固定ＰＣやゲーム機で行われてもよく、また、来店検出は上述の端末装置（携帯電話等）で行い、その結果が固定ＰＣやゲーム機でのゲームシナリオに反映されてもよい。
【産業上の利用可能性】
【０２３９】
本発明にかかる、コンテンツ配信システム、広告挿入装置、および、端末装置は、情報通信分野など産業上の様々な分野において有用であり、特に、ゲームなどのコンテンツ配信分野において有用である。
【図面の簡単な説明】
【０２４０】
【図１】本発明の基本構成を一例として示す構成概要図
【図２】本発明の基本原理の一例を示すフローチャート
【図３】本発明の基本原理を一例として示す模式図
【図４】本発明が適用される本実施の形態１における本コンテンツ配信システムの構成の一例を示すブロック図
【図５】実施の形態１のコンテンツ配信システムにおける各装置の構成の一例を示すブロック図
【図６】実施の形態１におけるコンテンツ配信システムの各装置間の処理の一例を示すフローチャート
【図７】実施の形態１にかかる広告挿入装置における処理の一例を示す図
【図８】本発明が適用される実施の形態における行動範囲予測手段の行動範囲予測処理の一例を示すフローチャート
【図９】生活パターンデータベースに格納された生活パターン情報の一例を模式的に表す図
【図１０】利用者の位置情報と利用者の属性情報とを関連付けて重み付けする重み付けテーブルの一例を示す図
【図１１】複数の利用者のグループを紐付けする処理の一例を示すフローチャート
【図１２】利用者の健康状態情報に基づいて重み付けする重み付けテーブルの例を示す図
【図１３】経路情報における移動距離と標高差を算出する際の処理の一例を模式的に示すグラフ
【図１４】起点から店舗までの経路を探索し、利用者の位置情報に基づいて移動手段を推定し、推定した移動手段に基づいて経路を重み付けする処理の一例を示すフローチャート
【図１５】本発明が適用される本実施の形態２における本コンテンツ配信システムの構成の一例を示すブロック図
【図１６】本発明が適用される本実施の形態３における本コンテンツ配信システムの構成の一例を示すブロック図
【図１７】実施の形態３のコンテンツ配信システムにおける各装置の構成の一例を示すブロック図
【図１８】実施の形態３におけるコンテンツ配信システムの各装置間の処理の一例を示すフローチャート
【図１９】実施の形態３にかかる広告挿入装置における処理の一例を示す図
【図２０】利用情報に基づいてコンテンツに対しフィードバック処理が行われた場合の表示画面の一例を示す図
【図２１】利用情報に基づいてコンテンツに対しフィードバック処理が行われた場合の表示画面の一例を示す図
【図２２】利用情報に基づいてコンテンツに対しフィードバック処理が行われた場合の表示画面の一例を示す図
【図２３】利用情報に基づいてコンテンツに対しフィードバック処理が行われた場合の表示画面の一例を示す図
【図２４】実施の形態４のコンテンツ配信システムにおける各装置の構成の一例を示すブロック図
【図２５】実施の形態４におけるコンテンツ配信システムの各装置間の処理の一例を示すフローチャート
【図２６】実施の形態５のコンテンツ配信システムにおける各装置の構成の一例を示すブロック図
【図２７】実施の形態５におけるコンテンツ配信システムの各装置間の処理の一例を示すフローチャート
【図２８】実施の形態６のコンテンツ配信システムにおける各装置の構成の一例を示すブロック図
【図２９】広告選択処理フェーズにおける動作シナリオの流れを模式的に示す図
【図３０】広告選択処理フェーズおよびフィードバック処理フェーズにおけるコンテンツプログラムの記述例を示す図
【図３１】フィードバック処理フェーズにおける動作シナリオの流れを模式的に示す図
【符号の説明】
【０２４１】
１００    端末装置
１０１    通信手段
１０２    コンテンツ処理手段
１０３    表示手段
１０４    位置検出手段
１０５    行動範囲予測手段
２００    広告格納装置
２０１    通信手段
２０２    広告選択手段
２０３    広告蓄積手段
２０４    広告リスト作成手段
３００    コンテンツ格納装置
３０１    通信手段
３０２    コンテンツ選択手段
３０３    コンテンツ蓄積手段
４００    広告挿入装置
４０１    端末装置通信手段
４０２    広告格納装置通信手段
４０３    広告要求手段
４０４    広告送信手段
４０５    行動範囲予測手段
４０６    店舗情報管理装置通信手段
４０７    シナリオ要求手段
４０８    コンテンツ格納装置通信手段
４０９    コンテンツ解析手段
４１０    個人属性保持手段
５００    店舗情報管理装置
５０１    通信手段
５０２    利用者情報記録手段
【図１】
2009116656.tif 000003
【図２】
2009116656.tif 000004
【図３】
2009116656.tif 000005
【図４】
2009116656.tif 000006
【図５】
2009116656.tif 000007
【図６】
2009116656.tif 000008
【図７】
2009116656.tif 000009
【図８】
2009116656.tif 000010
【図９】
2009116656.tif 000011
【図１０】
2009116656.tif 000012
【図１１】
2009116656.tif 000013
【図１２】
2009116656.tif 000014
【図１３】
2009116656.tif 000015
【図１４】
2009116656.tif 000016
【図１５】
2009116656.tif 000017
【図１６】
2009116656.tif 000018
【図１７】
2009116656.tif 000019
【図１８】
2009116656.tif 000020
【図１９】
2009116656.tif 000021
【図２０】
2009116656.tif 000022
【図２１】
2009116656.tif 000023
【図２２】
2009116656.tif 000024
【図２３】
2009116656.tif 000025
【図２４】
2009116656.tif 000026
【図２５】
2009116656.tif 000027
【図２６】
2009116656.tif 000028
【図２７】
2009116656.tif 000029
【図２８】
2009116656.tif 000030
【図２９】
2009116656.tif 000031
【図３０】
2009116656.tif 000032
【図３１】
2009116656.tif 000033